(57)【要約】【解決手段】本発明は光ネットワークユニット（ＯＮＵ）と光回線端末（ＯＬＴ）との間に省エネルギーメカニズム管理を実現する方法及びシステムを提供し、ＯＮＵとＯＬＴとの間に拡張運用管理およびメンテナンス（ＯＡＭ）フレームを介して省エネルギー情報を伝送するステップと、取得した省エネルギー情報に応じてＯＮＵ光モジュールをオフ／オンにするステップとを含む。本発明方法によれば、ＯＮＵ光モジュールの動作が必要がない場合、適時に光モジュールをオフにし、ＯＮＵ電力消耗を低減し、ＯＮＵとＯＬＴとの間のインタラクションが省エネルギーと排出削減方面の要求を満たすようになった。
2013538531.tif 000002
【特許請求の範囲】
【請求項１】
光ネットワークユニットＯＮＵと光回線端末ＯＬＴとの間に省エネルギーメカニズム管理を実現する方法であって、
ＯＮＵとＯＬＴとの間に拡張運用管理およびメンテナンスフレームを介して省エネルギー情報を伝送するステップと、
取得した省エネルギー情報に応じてＯＮＵの光モジュールをオフ／オンにするステップとを含むことを特徴とする方法。
【請求項２】
前記省エネルギー情報が、前記拡張ＯＡＭフレームのＯＡＭプロトコルデータユニット情報メッセージにおける組織専用情報タイプ−長さ−値フィールドに含まれ、又は、
前記省エネルギー情報が、前記拡張ＯＡＭフレームの拡張ＯＡＭイベント通知メッセージに含まれ、又は、
前記省エネルギー情報が、前記拡張ＯＡＭフレームの拡張ＯＡＭプロトコルデータユニットＰＤＵフォーマットに含まれることを特徴とする
請求項１に記載の方法。
【請求項３】
前記省エネルギー情報は、入る省エネルギーメカニズムを指示する省エネルギーメカニズム指示を含むことを特徴とする請求項１に記載の方法。
【請求項４】
前記省エネルギー情報は、前記省エネルギーメカニズムに入る持続時間長さ情報を含むことを特徴とする請求項１又は３に記載の方法。
【請求項５】
前記省エネルギーメカニズムは、仮眠、又は快速睡眠、又は深度睡眠、又は周期睡眠を含むことを特徴とする請求項１に記載の方法。
【請求項６】
前記伝送省エネルギー情報は、
前記ＯＮＵがアップリンクでメッセージを介してＯＬＴに送信され、及び／又は前記ＯＬＴがメッセージを介してＯＮＵに送信されることを含むことを特徴とする請求項１に記載の方法。
【請求項７】
前記省エネルギー情報における省エネルギーメカニズム指示によって指示される省エネルギーメカニズムは快速睡眠メカニズムであり、
前記ＯＮＵとＯＬＴが、取得した省エネルギー情報に応じて、省エネルギー制御を行い、且つＯＮＵの光モジュールをオフ／オンにすることは、
快速睡眠状態に入るようにＯＮＵに指示する場合、前記ＯＮＵが正常状態から快速睡眠状態に遷移し、アップ・ダウンリンク光モジュールをオフにし、そしてタイマーＴ１をトリガーし、タイマーＴ１タイミングの長さが前記省エネルギーメカニズム指示に含まれる睡眠時間の長さに設定され、前記ＯＮＵがすべてのサービス要求及びＯＬＴからのメッセージに応答しない、タイマーＴ１がタイムアウトした場合、アップ・ダウンリンク光モジュールをオンにし、前記ＯＮＵが快速睡眠状態から同期状態に遷移し、前記ＯＬＴダウンリンクフレームを受信して、且つ成功に同期した後、正常状態に戻り、
前記ＯＬＴが快速睡眠状態に入るようにＯＮＵに指示した後、前記ＯＮＵの自身の指令に応答しないことによるアラームを抑制し、ダウンリンクで前記ＯＮＵへ伝送するデータストリームをバッファリングし、タイマーＴ２を開始し、タイマーＴ２のタイムアウト時間がそれによって送信された指示に含まれる睡眠持続時間の長さの値に設定され、タイマーＴ２がタイムアウトした場合、前記ＯＬＴが睡眠待ち状態から正常状態に遷移し、前記ＯＮＵと正常なデータ通信を行うことを含むことを特徴とする
請求項１に記載の方法。
【請求項８】
前記方法の前に、
前記ＯＬＴが正常状態にあり、前記ＯＮＵと正常に通信するプロセスでは、
前記ＯＬＴがネットワーク管理からの、快速睡眠状態に入るようにＯＮＵを制御することを要求するコマンドを受信し、又は、前記ＯＬＴのメディアアクセス制御ＭＡＣが前記ＯＮＵのアップリンクフローに対してリアルタイム検出を行い、予め設定された時間内にアップリンクフローがないことを検出したことをさらに含むことを特徴とする
請求項７に記載の方法。
【請求項９】
前記省エネルギー情報における省エネルギーメカニズム指示によって指示される省エネルギーメカニズムは深度睡眠メカニズムであり、前記ＯＮＵとＯＬＴが、取得した省エネルギー情報に応じて、省エネルギー制御を行い、且つＯＮＵの光モジュールをオフ／オンにすることは、
前記ＯＮＵが深度睡眠状態に入る場合、アップ・ダウンリンク光モジュールをオフにし、ＯＮＵタイマーＴ１をトリガーし、タイマーＴ１がタイムアウトした場合、又は前記ＯＮＵにより、ユーザポートには送信必要なアップリンクデータフローがあることを検出した場合、アップ・ダウンリンク光モジュールをオンにし、且つ同期状態に入り、前記ＯＮＵが同期状態でＯＬＴとのダウンリンクフレーム同期を完了した後、深度睡眠状態から退出することを前記ＯＬＴに通知し、
前記ＯＬＴがＯＮＵが深度睡眠状態に入る通知を受信した後、ＯＮＵが深度睡眠に入った後に自身の命令に応答しないことによる生じたアラームを抑制し、ダウンリンクで前記ＯＮＵへ伝送するデータストリームをバッファリングし、前記ＯＬＴが、ＯＮＵからの、深度睡眠状態から退出する通知を受信した後、前記ＯＮＵと正常なデータ通信を行うことを含むことを特徴とする
請求項１に記載の方法。
【請求項１０】
前記方法の前に、
前記ＯＮＵが正常状態にある場合、アップ・ダウンリンクで前記ＯＬＴとの通信必要なデータフローがないことを検出して、深度睡眠状態に入ることを前記ＯＬＴに通知し、且つ深度睡眠持続時間を指示し、
前記タイマーＴ１タイミングの長さが通知中の睡眠期間に設定されることを含むことを特徴とする
請求項９に記載の方法。
【請求項１１】
前記方法の前に、
前記ＯＮＵが正常状態にある場合、アップ・ダウンリンクで前記ＯＬＴとの通信必要なデータフローがないことを検出して、深度睡眠状態に入ることを前記ＯＬＴに通知し、
前記タイマーＴ１時間の長さが、前記ＯＮＵに予め設定された、今回の深度睡眠を実行しようとする時間の長さに設定されることを含むことを特徴とする
請求項９に記載の方法。
【請求項１２】
前記タイマーＴ１がタイムアウトした場合、前記ＯＮＵがアップリンクで伝送必要なデータフローを検出しない、当該方法は、
前記ＯＮＵによって予め設定された、今回の深度睡眠を実行しようとする時間の長さに従って前記タイマーＴ１をリセットし、且つ引き続け待つことをさらに含むことを特徴とする
請求項１１に記載の方法。
【請求項１３】
前記ＯＮＵが、予め設定された時間内に、ずっと深度睡眠状態にあり、スリープ解除された後、当該方法は、
前記ＯＮＵが距離測定を再実行することをさらに含むことを特徴とする
請求項９〜１２のいずれか１項に記載の方法。
【請求項１４】
前記省エネルギー情報における省エネルギーメカニズム指示によって指示される省エネルギーメカニズムは仮眠メカニズムであり、前記ＯＮＵとＯＬＴが、取得した省エネルギー情報に応じて、省エネルギー制御を行い、ＯＮＵの光モジュールをオフ／オンにすることは、
前記ＯＮＵが仮眠モードに入ると仮眠モードから退出する必要がある場合、前記ＯＬＴに通知し、且つ、仮眠モードに入る場合、アップリンク光モジュールをオフにし、仮眠モードから退出する場合、アップリンク光モジュールをオンにし、
前記ＯＬＴが、通知を介して、ＯＮＵが仮眠モードに入る又は仮眠モードから退出する必要があることを取得して、そして確認することを含むことを特徴とする
請求項１に記載の方法。
【請求項１５】
前記ＯＮＵが仮眠モードにあり、当該方法は、
前記ＯＮＵとＯＬＴとの間に、ハートビートメッセージを介して前記ＯＮＵが永久仮眠状態にあるかを検出することをさらに含むことを特徴とする
請求項１４に記載の方法。
【請求項１６】
前記省エネルギー情報における省エネルギーメカニズム指示によって指示される省エネルギーメカニズムは、周期睡眠省エネルギーメカニズムであり、前記ＯＮＵとＯＬＴが、取得した省エネルギー情報に応じて、省エネルギー制御を行い、且つＯＮＵの光モジュールをオフ／オンにすることは、
前記ＯＮＵが周期省エネルギー状態に入り、アップ・ダウンリンク光モジュールをオフにし、且つＯＬＴによって設定された又はＯＮＵ自身によって設定された周期省エネルギー時間設定に従ってタイマーＴ退出を開始し、
タイマーＴ退出がタイムアウトした場合、前記ＯＮＵが周期省エネルギー状態から退出し、周期省エネルギースリープ解除状態に入り、アップ・ダウンリンク光モジュールをオンにし、又は、タイマーＴ退出がタイムアウトする前に、拡張ＯＡＭによりＯＬＴからの、周期省エネルギー睡眠メカニズムから退出する又はスリープ解除するコマンドを受信し、又はＯＮＵが、ローカルでアップリンクデータ伝送などの、周期省エネルギー睡眠モードから退出することをトリガーするイベントを検出する場合、ＯＮＵが初期状態に入り、タイマーＴ初期を開始することを含むことを特徴とする
請求項１に記載の方法。
【請求項１７】
当該方法の前に、
前記ＯＮＵが周期省エネルギーアクティブ状態にあり、受信又は送信必要なデータフローがないことを検出する場合、周期省エネルギー睡眠メカニズムを使用開始して省エネルギーを行い、ＯＮＵ自身状態を周期省エネルギースリープ解除状態に設定し、タイマーＴ周期省エネルギーを開始し、タイマーＴ周期省エネルギーがタイムアウトした後、前記周期省エネルギー状態に入り、又は、
タイマーＴ周期省エネルギーがタイムアウトする前に、ＯＬＴからの、周期省エネルギー睡眠メカニズムから退出する又はスリープ解除するコマンドを受信し、又はＯＮＵが、ローカルでアップリンクデータ伝送などの、周期省エネルギー睡眠モードから退出することをトリガーするイベントを検出する場合、ＯＮＵが初期状態に入り、タイマーＴ初期を開始することをさらに含むことを特徴とする
請求項１６に記載の方法。
【請求項１８】
前記方法の前に、
前記ＯＮＵが初期状態に入った後、拡張ＯＡＭにより前記ＯＬＴからの、周期省エネルギー睡眠メカニズムに入ることができるコマンドを受信し、タイマーＴ初期を開始し、そしてタイマーＴ初期がタイムアウトした場合、前記周期省エネルギーアクティブ状態に入ることをさらに含むことを特徴とする
請求項１７に記載の方法。
【請求項１９】
当該方法は、
前記ＯＬＴが、拡張ＯＡＭを介して、周期省エネルギー睡眠メカニズムから退出する又はスリープ解除するコマンドをＯＮＵに送信することをさらに含むことを特徴とする
請求項１６〜１８のいずれか１項に記載の方法。
【請求項２０】
前記省エネルギー情報における省エネルギーメカニズム指示によって指示される省エネルギーメカニズムは仮眠睡眠省エネルギーメカニズムであり、前記ＯＮＵとＯＬＴが、取得した省エネルギー情報に応じて、省エネルギー制御を行い、且つＯＮＵの光モジュールをオフ／オンにすることは、
前記ＯＮＵが仮眠省エネルギー状態に入り、アップリンク光モジュールをオフにし、且つＯＬＴによって設定された又はＯＮＵ自身によって設定された仮眠省エネルギー時間設定に従ってタイマーＴ退出を開始し、
タイマーＴ退出がタイムアウトした場合、前記ＯＮＵが仮眠省エネルギー状態から退出し、仮眠省エネルギースリープ解除状態に入り、アップリンク光モジュールをオンにし、又は、タイマーＴ退出がタイムアウトする前に、拡張ＯＡＭによりＯＬＴからの、仮眠省エネルギー睡眠メカニズムから退出する又はスリープ解除するコマンドを受信し、又はＯＮＵが、ローカルでアップリンクデータ伝送などの、仮眠省エネルギー睡眠モードから退出することをトリガーするイベントを検出する場合、ＯＮＵが初期状態に入り、タイマーＴ初期を開始することを含むことを特徴とする
請求項１に記載の方法。
【請求項２１】
前記方法の前に、
前記ＯＮＵが仮眠省エネルギーアクティブ状態にあり、受信又は送信必要なデータフローがないことを検出する場合、仮眠省エネルギー睡眠メカニズムを使用開始して省エネルギーを行い、ＯＮＵ自身状態を仮眠省エネルギースリープ解除状態に設定し、タイマーＴ仮眠省エネルギーを開始し、タイマーＴ仮眠省エネルギーがタイムアウトした後、前記仮眠省エネルギー状態に入り、又は、
タイマーＴ仮眠省エネルギーがタイムアウトする前に、ＯＬＴからの、仮眠省エネルギー睡眠メカニズムから退出する又はスリープ解除するコマンドを受信し、又はＯＮＵが、ローカルでアップリンクデータ伝送などの、仮眠省エネルギー睡眠モードから退出することをトリガーするイベントを検出する場合、ＯＮＵが初期状態に入り、タイマーＴ初期を開始することを含むことを特徴とする
請求項２０に記載の方法。
【請求項２２】
前記方法の前に、
前記ＯＮＵが初期状態に入った後、拡張ＯＡＭにより、前記ＯＬＴからの、仮眠省エネルギー睡眠メカニズムに入ることができるコマンドを受信し、タイマーＴ初期を開始し、そしてタイマーＴ初期がタイムアウトした場合、前記仮眠省エネルギーアクティブ状態に入ることをさらに含むことを特徴とする請求項２１に記載の方法。
【請求項２３】
当該方法は、
前記ＯＬＴが、拡張ＯＡＭを介して仮眠省エネルギー睡眠メカニズムから退出する又はスリープ解除するコマンドをＯＮＵに送信することをさらに含むことを特徴とする
請求項２０〜２２のいずれか１項に記載の方法。
【請求項２４】
ＯＮＵとＯＬＴとを少なくとも含む、光ネットワークユニットＯＮＵと光回線端末ＯＬＴとの間に省エネルギーメカニズム管理を実現するシステムであって、
ＯＮＵは、ＯＬＴとの間に拡張ＯＡＭフレームを介して省エネルギー情報を伝送し、取得した省エネルギー情報に応じて省エネルギー制御を行い、且つ光モジュールをオフ／オンにすることに用いられ、
ＯＬＴは、ＯＮＵとの間に拡張ＯＡＭフレームを介して省エネルギー情報を伝送し、取得した省エネルギー情報に応じて省エネルギー制御を行うことに用いられることを特徴とするシステム。
【請求項２５】
前記省エネルギー情報における省エネルギーメカニズム指示によって指示される省エネルギーメカニズムは仮眠メカニズムであり、
前記ＯＮＵは、具体的に、仮眠モードに入ると仮眠モードから退出する必要がある場合、前記ＯＬＴに通知し、仮眠モードに入る場合、アップリンク光モジュールをオフにし、仮眠モードから退出する場合、アップリンク光モジュールをオンにすることに用いられ、
前記ＯＬＴは、具体的に、通知を介して、ＯＮＵが仮眠モードに入る又は仮眠モードから退出する必要があることを取得して、そして確認することに用いられることを特徴とする
請求項２４に記載のシステム。
【請求項２６】
前記省エネルギー情報における省エネルギーメカニズム指示によって指示される省エネルギーメカニズムは周期省エネルギーメカニズムであり、
前記ＯＮＵは、具体的に周期省エネルギー状態に入り、アップ・ダウンリンク光モジュールをオフにし、且つＯＬＴによって設定された又はＯＮＵ自身によって設定された周期省エネルギー時間設定に応じてタイマーＴ退出を開始し、タイマーＴ退出がタイムアウトした場合、ＯＮＵが周期省エネルギー状態から退出し、周期省エネルギースリープ解除状態に入り、アップ・ダウンリンク光モジュールをオンにし、又は、タイマーＴ退出がタイムアウトする前に、拡張ＯＡＭによりＯＬＴからの、周期睡眠省エネルギーメカニズムから退出する又はスリープ解除するコマンドを受信し、又はＯＮＵが、ローカルでアップリンクデータ伝送などの、周期睡眠省エネルギーモードから退出することをトリガーするイベントを検出する場合、ＯＮＵが初期状態に入り、タイマーＴ初期を開始することに用いられ、
前記ＯＬＴは、具体的に、拡張ＯＡＭを介して周期省エネルギー睡眠メカニズムから退出する又はスリープ解除するコマンドをＯＮＵに送信することに用いられることを特徴とする
請求項２４に記載のシステム。
【請求項２７】
前記ＯＮＵは、
周期省エネルギーアクティブ状態で、受信又は送信必要なデータフローがないことを検出する場合、周期省エネルギー睡眠メカニズムを使用開始して省エネルギーを行い、ＯＮＵ自身状態を周期省エネルギースリープ解除状態に設定し、タイマーＴ周期省エネルギーを開始し、タイマーＴ周期省エネルギーがタイムアウトした後、前記周期省エネルギー状態に入り、又は、タイマーＴ周期省エネルギーがタイムアウトする前に、ＯＬＴからの、周期省エネルギー睡眠メカニズムから退出する又はスリープ解除するコマンドを受信し、又はＯＮＵが、ローカルでアップリンクデータ伝送などの、周期省エネルギー睡眠モードから退出することをトリガーするイベントを検出する場合、ＯＮＵが初期状態に入り、タイマーＴ初期を開始することにさらに用いられることを特徴とする
請求項２６に記載のシステム。
【請求項２８】
前記ＯＮＵは、
初期状態に入った後、拡張ＯＡＭによりＯＬＴからの、周期省エネルギー睡眠メカニズムに入ることができるコマンドを受信し、タイマーＴ初期を開始し、そしてタイマーＴ初期がタイムアウトした場合、周期省エネルギーアクティブ状態に入ることにさらに用いられることを特徴とする
請求項２７に記載のシステム。
【請求項２９】
前記省エネルギー情報における省エネルギーメカニズム指示によって指示される省エネルギーメカニズムは仮眠省エネルギーメカニズムであり、
前記ＯＮＵは、具体的に仮眠省エネルギー状態に入り、アップリンク光モジュールをオフにし、且つＯＬＴによって設定された又はＯＮＵ自身によって設定された仮眠省エネルギー時間設定に従ってタイマーＴ退出を開始し、タイマーＴ退出がタイムアウトした場合、ＯＮＵが仮眠省エネルギー状態から退出し、仮眠省エネルギースリープ解除状態に入り、アップリンク光モジュールをオンにし、又は、タイマーＴ退出がタイムアウトする前に、拡張ＯＡＭによりＯＬＴからの、仮眠睡眠省エネルギーメカニズムから退出する又はスリープ解除するコマンドを受信し、又はＯＮＵが、ローカルでアップリンクデータ伝送などの、仮眠省エネルギー睡眠モードから退出することをトリガーするイベントを検出する場合、ＯＮＵが初期状態に入り、タイマーＴ初期を開始することに用いられ、
前記ＯＬＴは、具体的に、拡張ＯＡＭを介して仮眠省エネルギー睡眠メカニズムから退出する又はスリープ解除するコマンドをＯＮＵに送信することに用いられることを特徴とする
請求項２４に記載のシステム。
【請求項３０】
前記ＯＮＵは、
仮眠省エネルギーアクティブ状態下で、受信又は送信必要なデータフローがないことを検出する場合、仮眠省エネルギー睡眠メカニズムを使用開始して省エネルギーを行い、ＯＮＵ自身状態を仮眠省エネルギースリープ解除状態に設定し、タイマーＴ仮眠省エネルギーを開始し、タイマーＴ仮眠省エネルギーがタイムアウトした後、仮眠省エネルギー状態に入り、又は、タイマーＴ仮眠省エネルギーがタイムアウトする前に、ＯＬＴからの、仮眠省エネルギー睡眠メカニズムから退出する又はスリープ解除するコマンドを受信し、又はＯＮＵが、ローカルでアップリンクデータ伝送などの、仮眠省エネルギー睡眠モードから退出することをトリガーするイベントを検出する場合、ＯＮＵが初期状態に入り、タイマーＴ初期を開始することにさらに用いられることを特徴とする
請求項２９に記載のシステム。
【請求項３１】
前記ＯＮＵは、
初期状態に入った後、拡張ＯＡＭによりＯＬＴからの、仮眠省エネルギー睡眠メカニズムに入ることができるコマンドを受信し、タイマーＴ初期を開始し、そしてタイマーＴ初期がタイムアウトした場合、仮眠省エネルギーアクティブ状態に入ることにさらに用いられることを特徴とする
請求項３０に記載のシステム。
【発明の詳細な説明】
【技術分野】
【０００１】
本発明はパッシブ光ネットワークにおける省エネルギーと排出削減技術に関し、特に、光ネットワークユニット（ＯＮＵ）と光回線端末（ＯＬＴ）との間にインタラクションを実現する方法及びシステムに関する。
【背景技術】
【０００２】
広帯域アクセス技術の発展に従い、事業者は、ユーザのためにより速い速度とより高い品質のサービスを提供するように、ますます、光ファイバーアクセスネットワーク（ＯＡＮ：Optical Access Network）システムを受けて設定する。パッシブ光ネットワーク（ＰＯＮ：Passive Optical Network）技術はポイントツーマルチポイントの光ファイバーアクセス技術であり、図１は従来のＰＯＮのネットワークアーキテクチャ模式図であり、図１に示すように、ＰＯＮは光回線端末（ＯＬＴ：Optical Line Terminal）、光ネットワークユニット（ＯＮＵ：Optical Network Unit）及び光分配ネットワーク（ＯＤＮ：Optical Distribution Network）により構成される。ここで、ＯＤＮはポイントからマルチポイントへの構造であり、１つのＯＬＴがＯＤＮにおける光学スプリッタ（Spliter）を介して複数のＯＮＵに接続される。
【０００３】
全球ＰＯＮの段階的な企画と運営に従い、ＯＮＵの数量も広帯域ユーザ数量の増加に従って同期に大幅増加する。現在、通信装置に対する省エネルギーと排出削減面の要求がますます提出されている。２００９年に、単一のＯＮＵが全負荷状態で動作する場合の電力消耗がおおよそ９Ｗ前後であり、具体的な数値は異なるメーカーの設備によって異なっている。当該電力消耗数値もデジタルチップの集積度増加及び一部構成光コンポーネントの最適化によって、未来で一定の低下空間があり、現在、ヨーロッパ連合が二年後の電力消耗が１５％前後を低下することを期待する。
【０００４】
実際に、ＯＮＵにおいて光モジュールの電力消耗は全体ＯＮＵ装置電力消耗の重要な構成部分である。ユーザの実際使用から見れば、ユーザがネットサーフィンする時、データフローがない場合が多く、この時、ＯＮＵ光モジュールの動作が必要がない。しかしながら、イーサネット（登録商標）ＰＯＮ（ＥＰＯＮ）の標準定義メカニズムでは、この時、ＯＮＵ光モジュールが絶え間なくオン／オフされ、ＯＬＴと正常なデータ通信を行い、無駄な電力を消耗した上、ユーザサービスに対していかなる実際なメリットもなく、省エネルギーと排出削減方面の要求に背く。
【先行技術文献】
【特許文献】
【０００５】
【特許文献１】中華人民共和国特許第１８５９４３８号明細書
【発明の概要】
【発明が解決しようとする課題】
【０００６】
これを鑑みて、本発明の主な目的は、ＯＮＵ電力消耗を低減でき、省エネルギーと排出削減方面の要求を満たす光ネットワークユニットと光回線端末との間に省エネルギーメカニズム管理を実現する方法及びシステムを提供することにある。
【課題を解決するための手段】
【０００７】
上記目的を達成するために、本発明の技術スキームは以下のように実現される。
光ネットワークユニットＯＮＵと光回線端末ＯＬＴとの間に省エネルギーメカニズム管理を実現する方法であって、前記方法は、ＯＮＵとＯＬＴとの間に拡張運用管理およびメンテナンスフレームを介して省エネルギー情報を伝送するステップと、取得した省エネルギー情報に応じてＯＮＵの光モジュールをオフ／オンにするステップとを含む方法。
【０００８】
前記省エネルギー情報が、前記拡張ＯＡＭフレームのＯＡＭプロトコルデータユニット情報メッセージにおける組織専用情報タイプ−長さ−値フィールドに含まれ、又は、前記省エネルギー情報が、前記拡張ＯＡＭフレームの拡張ＯＡＭイベント通知メッセージに含まれ、又は、前記省エネルギー情報が、前記拡張ＯＡＭフレームの拡張ＯＡＭプロトコルデータユニットＰＤＵフォーマットに含まれる。
【０００９】
前記省エネルギー情報は、入る省エネルギーメカニズムを指示する省エネルギーメカニズム指示を含む。
【００１０】
前記省エネルギー情報は、前記省エネルギーメカニズムに入る持続時間長さ情報を含む。
【００１１】
前記省エネルギーメカニズムは、仮眠、又は快速睡眠、又は深度睡眠、又は周期睡眠を含む。
【００１２】
前記伝送省エネルギー情報は、前記ＯＮＵがアップリンクでメッセージを介してＯＬＴに送信され、及び／又は前記ＯＬＴがメッセージを介してＯＮＵに送信されることを含む。
【００１３】
前記省エネルギー情報における省エネルギーメカニズム指示によって指示される省エネルギーメカニズムは快速睡眠メカニズムであり、前記ＯＮＵとＯＬＴが、取得した省エネルギー情報に応じて、省エネルギー制御を行い、且つＯＮＵの光モジュールをオフ／オンにすることは、快速睡眠状態に入るようにＯＮＵに指示する場合、前記ＯＮＵが正常状態から快速睡眠状態に遷移し、アップ・ダウンリンク光モジュールをオフにし、そしてタイマーＴ１をトリガーし、タイマーＴ１タイミングの長さが前記省エネルギーメカニズム指示に含まれる睡眠時間の長さに設定され、前記ＯＮＵがすべてのサービス要求及びＯＬＴからのメッセージに応答しない、タイマーＴ１がタイムアウトした場合、アップ・ダウンリンク光モジュールをオンにし、前記ＯＮＵが快速睡眠状態から同期状態に遷移し、前記ＯＬＴダウンリンクフレームを受信して、且つ成功に同期した後、正常状態に戻り、前記ＯＬＴが快速睡眠状態に入るようにＯＮＵに指示した後、前記ＯＮＵの自身の指令に応答しないことによるアラームを抑制し、ダウンリンクで前記ＯＮＵへ伝送するデータストリームをバッファリングし、タイマーＴ２を開始し、タイマーＴ２のタイムアウト時間がそれによって送信された指示に含まれる睡眠持続時間の長さの値に設定され、タイマーＴ２がタイムアウトした場合、前記ＯＬＴが睡眠待ち状態から正常状態に遷移し、前記ＯＮＵと正常なデータ通信を行うことを含む。
【００１４】
前記方法の前に、前記ＯＬＴが正常状態にあり、前記ＯＮＵと正常に通信するプロセスでは、前記ＯＬＴがネットワーク管理からの、快速睡眠状態に入るようにＯＮＵを制御することを要求するコマンドを受信し、又は、前記ＯＬＴのメディアアクセス制御ＭＡＣが前記ＯＮＵのアップリンクフローに対してリアルタイム検出を行い、予め設定された時間内にアップリンクフローがないことを検出したことをさらに含む。
【００１５】
前記省エネルギー情報における省エネルギーメカニズム指示によって指示される省エネルギーメカニズムは深度睡眠メカニズムであり、前記ＯＮＵとＯＬＴが、取得した省エネルギー情報に応じて、省エネルギー制御を行い、且つＯＮＵの光モジュールをオフ／オンにすることは、前記ＯＮＵが深度睡眠状態に入る場合、アップ・ダウンリンク光モジュールをオフにし、ＯＮＵタイマーＴ１をトリガーし、タイマーＴ１がタイムアウトした場合、又は前記ＯＮＵにより、ユーザポートには送信必要なアップリンクデータフローがあることを検出した場合、アップ・ダウンリンク光モジュールをオンにし、且つ同期状態に入り、前記ＯＮＵが同期状態でＯＬＴとのダウンリンクフレーム同期を完了した後、深度睡眠状態から退出することを前記ＯＬＴに通知し、前記ＯＬＴがＯＮＵが深度睡眠状態に入る通知を受信した後、ＯＮＵが深度睡眠に入った後に自身の命令に応答しないことによる生じたアラームを抑制し、ダウンリンクで前記ＯＮＵへ伝送するデータストリームをバッファリングし、前記ＯＬＴが、ＯＮＵからの、深度睡眠状態から退出する通知を受信した後、前記ＯＮＵと正常なデータ通信を行うことを含む。
【００１６】
前記方法の前に、前記ＯＮＵが正常状態にある場合、アップ・ダウンリンクで前記ＯＬＴとの通信必要なデータフローがないことを検出して、深度睡眠状態に入ることを前記ＯＬＴに通知し、且つ深度睡眠持続時間を指示し、前記タイマーＴ１タイミングの長さが通知中の睡眠期間に設定されることを含む。
【００１７】
前記方法の前に、前記ＯＮＵが正常状態にある場合、アップ・ダウンリンクで前記ＯＬＴとの通信必要なデータフローがないことを検出して、深度睡眠状態に入ることを前記ＯＬＴに通知し、前記タイマーＴ１時間の長さが、前記ＯＮＵに予め設定された、今回の深度睡眠を実行しようとする時間の長さに設定されることを含む。
【００１８】
前記タイマーＴ１がタイムアウトした場合、前記ＯＮＵがアップリンクで伝送必要なデータフローを検出しない、当該方法は、前記ＯＮＵによって予め設定された、今回の深度睡眠を実行しようとする時間の長さに従って前記タイマーＴ１をリセットし、且つ引き続け待つことをさらに含む。
【００１９】
前記ＯＮＵが、予め設定された時間内に、ずっと深度睡眠状態にあり、スリープ解除された後、当該方法は、前記ＯＮＵが距離測定を再実行することをさらに含む。
【００２０】
前記省エネルギー情報における省エネルギーメカニズム指示によって指示される省エネルギーメカニズムは仮眠メカニズムであり、前記ＯＮＵとＯＬＴが、取得した省エネルギー情報に応じて、省エネルギー制御を行い、ＯＮＵの光モジュールをオフ／オンにすることは、前記ＯＮＵが仮眠モードに入ると仮眠モードから退出する必要がある場合、前記ＯＬＴに通知し、且つ、仮眠モードに入る場合、アップリンク光モジュールをオフにし、仮眠モードから退出する場合、アップリンク光モジュールをオンにし、前記ＯＬＴが、通知を介して、ＯＮＵが仮眠モードに入る又は仮眠モードから退出する必要があることを取得して、そして確認することを含む。
【００２１】
前記ＯＮＵが仮眠モードにあり、当該方法は、前記ＯＮＵとＯＬＴとの間に、ハートビートメッセージを介して前記ＯＮＵが永久仮眠状態にあるかを検出することをさらに含む。
【００２２】
前記省エネルギー情報における省エネルギーメカニズム指示によって指示される省エネルギーメカニズムは、周期睡眠省エネルギーメカニズムであり、前記ＯＮＵとＯＬＴが、取得した省エネルギー情報に応じて、省エネルギー制御を行い、且つＯＮＵの光モジュールをオフ／オンにすることは、前記ＯＮＵが周期省エネルギー状態に入り、アップ・ダウンリンク光モジュールをオフにし、且つＯＬＴによって設定された又はＯＮＵ自身によって設定された周期省エネルギー時間設定に従ってタイマーＴ退出を開始し、タイマーＴ退出がタイムアウトした場合、前記ＯＮＵが周期省エネルギー状態から退出し、周期省エネルギースリープ解除状態に入り、アップ・ダウンリンク光モジュールをオンにし、又は、タイマーＴ退出がタイムアウトする前に、拡張ＯＡＭによりＯＬＴからの、周期省エネルギー睡眠メカニズムから退出する又はスリープ解除するコマンドを受信し、又はＯＮＵが、ローカルでアップリンクデータ伝送などの、周期省エネルギー睡眠モードから退出することをトリガーするイベントを検出する場合、ＯＮＵが初期状態に入り、タイマーＴ初期を開始することを含む。
【００２３】
当該方法の前に、前記ＯＮＵが周期省エネルギーアクティブ状態にあり、受信又は送信必要なデータフローがないことを検出する場合、周期省エネルギー睡眠メカニズムを使用開始して省エネルギーを行い、ＯＮＵ自身状態を周期省エネルギースリープ解除状態に設定し、タイマーＴ周期省エネルギーを開始し、タイマーＴ周期省エネルギーがタイムアウトした後、前記周期省エネルギー状態に入り、又は、タイマーＴ周期省エネルギーがタイムアウトする前に、ＯＬＴからの、周期省エネルギー睡眠メカニズムから退出する又はスリープ解除するコマンドを受信し、又はＯＮＵが、ローカルでアップリンクデータ伝送などの、周期省エネルギー睡眠モードから退出することをトリガーするイベントを検出する場合、ＯＮＵが初期状態に入り、タイマーＴ初期を開始することをさらに含む。
【００２４】
当該方法の前に、前記ＯＮＵが初期状態に入った後、拡張ＯＡＭにより前記ＯＬＴからの、周期省エネルギー睡眠メカニズムに入ることができるコマンドを受信し、タイマーＴ初期を開始し、そしてタイマーＴ初期がタイムアウトした場合、前記周期省エネルギーアクティブ状態に入ることをさらに含む。
【００２５】
当該方法は、前記ＯＬＴが、拡張ＯＡＭを介して、周期省エネルギー睡眠メカニズムから退出する又はスリープ解除するコマンドをＯＮＵに送信することをさらに含む。
【００２６】
前記省エネルギー情報における省エネルギーメカニズム指示によって指示される省エネルギーメカニズムは仮眠睡眠省エネルギーメカニズムであり、前記ＯＮＵとＯＬＴが、取得した省エネルギー情報に応じて、省エネルギー制御を行い、且つＯＮＵの光モジュールをオフ／オンにすることは、前記ＯＮＵが仮眠省エネルギー状態に入り、アップリンク光モジュールをオフにし、且つＯＬＴによって設定された又はＯＮＵ自身によって設定された仮眠省エネルギー時間設定に従ってタイマーＴ退出を開始し、タイマーＴ退出がタイムアウトした場合、前記ＯＮＵが仮眠省エネルギー状態から退出し、仮眠省エネルギースリープ解除状態に入り、アップリンク光モジュールをオンにし、又は、タイマーＴ退出がタイムアウトする前に、拡張ＯＡＭによりＯＬＴからの、仮眠省エネルギー睡眠メカニズムから退出する又はスリープ解除するコマンドを受信し、又はＯＮＵが、ローカルでアップリンクデータ伝送などの、仮眠省エネルギー睡眠モードから退出することをトリガーするイベントを検出する場合、ＯＮＵが初期状態に入り、タイマーＴ初期を開始することを含む。
【００２７】
当該方法の前に、前記ＯＮＵが仮眠省エネルギーアクティブ状態にあり、受信又は送信必要なデータフローがないことを検出する場合、仮眠省エネルギー睡眠メカニズムを使用開始して省エネルギーを行い、ＯＮＵ自身状態を仮眠省エネルギースリープ解除状態に設定し、タイマーＴ仮眠省エネルギーを開始し、タイマーＴ仮眠省エネルギーがタイムアウトした後、前記仮眠省エネルギー状態に入り、又は、タイマーＴ仮眠省エネルギーがタイムアウトする前に、ＯＬＴからの、仮眠省エネルギー睡眠メカニズムから退出する又はスリープ解除するコマンドを受信し、又はＯＮＵが、ローカルでアップリンクデータ伝送などの、仮眠省エネルギー睡眠モードから退出することをトリガーするイベントを検出する場合、ＯＮＵが初期状態に入り、タイマーＴ初期を開始することを含む。
【００２８】
当該方法の前に、前記ＯＮＵが初期状態に入った後、拡張ＯＡＭにより、前記ＯＬＴからの、仮眠省エネルギー睡眠メカニズムに入ることができるコマンドを受信し、タイマーＴ初期を開始し、そしてタイマーＴ初期がタイムアウトした場合、前記仮眠省エネルギーアクティブ状態に入ることをさらに含む。
【００２９】
当該方法は、前記ＯＬＴが、拡張ＯＡＭを介して仮眠省エネルギー睡眠メカニズムから退出する又はスリープ解除するコマンドをＯＮＵに送信することをさらに含む。
【００３０】
ＯＮＵとＯＬＴとを少なくとも含む、光ネットワークユニットＯＮＵと光回線端末ＯＬＴとの間に省エネルギーメカニズム管理を実現するシステムであって、ここで、ＯＮＵは、ＯＬＴとの間に拡張ＯＡＭフレームを介して省エネルギー情報を伝送し、取得した省エネルギー情報に応じて省エネルギー制御を行い、且つ光モジュールをオフ／オンにすることに用いられ、ＯＬＴは、ＯＮＵとの間に拡張ＯＡＭフレームを介して省エネルギー情報を伝送し、取得した省エネルギー情報に応じて省エネルギー制御を行うことに用いられる。
【００３１】
前記省エネルギー情報における省エネルギーメカニズム指示によって指示される省エネルギーメカニズムは仮眠メカニズムであり、前記ＯＮＵは、具体的に、仮眠モードに入ると仮眠モードから退出する必要がある場合、前記ＯＬＴに通知し、仮眠モードに入る場合、アップリンク光モジュールをオフにし、仮眠モードから退出する場合、アップリンク光モジュールをオンにすることに用いられ、前記ＯＬＴは、具体的に、通知を介して、ＯＮＵが仮眠モードに入る又は仮眠モードから退出する必要があることを取得して、そして確認することに用いられる。
【００３２】
前記省エネルギー情報における省エネルギーメカニズム指示によって指示される省エネルギーメカニズムは周期省エネルギーメカニズムであり、前記ＯＮＵは、具体的に周期省エネルギー状態に入り、アップ・ダウンリンク光モジュールをオフにし、且つＯＬＴによって設定された又はＯＮＵ自身によって設定された周期省エネルギー時間設定に応じてタイマーＴ退出を開始し、タイマーＴ退出がタイムアウトした場合、ＯＮＵが周期省エネルギー状態から退出し、周期省エネルギースリープ解除状態に入り、アップ・ダウンリンク光モジュールをオンにし、又は、タイマーＴ退出がタイムアウトする前に、拡張ＯＡＭによりＯＬＴからの、周期睡眠省エネルギーメカニズムから退出する又はスリープ解除するコマンドを受信し、又はＯＮＵが、ローカルでアップリンクデータ伝送などの、周期睡眠省エネルギーモードから退出することをトリガーするイベントを検出する場合、ＯＮＵが初期状態に入り、タイマーＴ初期を開始することに用いられ、前記ＯＬＴは、具体的に、拡張ＯＡＭを介して周期省エネルギー睡眠メカニズムから退出する又はスリープ解除するコマンドをＯＮＵに送信することに用いられる。
【００３３】
前記ＯＮＵは、周期省エネルギーアクティブ状態で、受信又は送信必要なデータフローがないことを検出する場合、周期省エネルギー睡眠メカニズムを使用開始して省エネルギーを行い、ＯＮＵ自身状態を周期省エネルギースリープ解除状態に設定し、タイマーＴ周期省エネルギーを開始し、タイマーＴ周期省エネルギーがタイムアウトした後、前記周期省エネルギー状態に入り、又は、タイマーＴ周期省エネルギーがタイムアウトする前に、ＯＬＴからの、周期省エネルギー睡眠メカニズムから退出する又はスリープ解除するコマンドを受信し、又はＯＮＵが、ローカルでアップリンクデータ伝送などの、周期省エネルギー睡眠モードから退出することをトリガーするイベントを検出する場合、ＯＮＵが初期状態に入り、タイマーＴ初期を開始することにさらに用いられる。
【００３４】
前記ＯＮＵは、初期状態に入った後、拡張ＯＡＭによりＯＬＴからの、周期省エネルギー睡眠メカニズムに入ることができるコマンドを受信し、タイマーＴ初期を開始し、そしてタイマーＴ初期がタイムアウトした場合、周期省エネルギーアクティブ状態に入ることにさらに用いられる。
【００３５】
前記省エネルギー情報における省エネルギーメカニズム指示によって指示される省エネルギーメカニズムは仮眠省エネルギーメカニズムであり、前記ＯＮＵは、具体的に仮眠省エネルギー状態に入り、アップリンク光モジュールをオフにし、且つＯＬＴによって設定された又はＯＮＵ自身によって設定された仮眠省エネルギー時間設定に従ってタイマーＴ退出を開始し、タイマーＴ退出がタイムアウトした場合、ＯＮＵが仮眠省エネルギー状態から退出し、仮眠省エネルギースリープ解除状態に入り、アップリンク光モジュールをオンにし、又は、タイマーＴ退出がタイムアウトする前に、拡張ＯＡＭによりＯＬＴからの、仮眠睡眠省エネルギーメカニズムから退出する又はスリープ解除するコマンドを受信し、又はＯＮＵが、ローカルでアップリンクデータ伝送などの、仮眠省エネルギー睡眠モードから退出することをトリガーするイベントを検出する場合、ＯＮＵが初期状態に入り、タイマーＴ初期を開始することに用いられ、前記ＯＬＴは、具体的に、拡張ＯＡＭを介して仮眠省エネルギー睡眠メカニズムから退出する又はスリープ解除するコマンドをＯＮＵに送信することに用いられる。
【００３６】
前記ＯＮＵは、仮眠省エネルギーアクティブ状態下で、受信又は送信必要なデータフローがないことを検出する場合、仮眠省エネルギー睡眠メカニズムを使用開始して省エネルギーを行い、ＯＮＵ自身状態を仮眠省エネルギースリープ解除状態に設定し、タイマーＴ仮眠省エネルギーを開始し、タイマーＴ仮眠省エネルギーがタイムアウトした後、仮眠省エネルギー状態に入り、又は、タイマーＴ仮眠省エネルギーがタイムアウトする前に、ＯＬＴからの、仮眠省エネルギー睡眠メカニズムから退出する又はスリープ解除するコマンドを受信し、又はＯＮＵが、ローカルでアップリンクデータ伝送などの、仮眠省エネルギー睡眠モードから退出することをトリガーするイベントを検出する場合、ＯＮＵが初期状態に入り、タイマーＴ初期を開始することにさらに用いられる。
【００３７】
前記ＯＮＵは、初期状態に入った後、拡張ＯＡＭによりＯＬＴからの、仮眠省エネルギー睡眠メカニズムに入ることができるコマンドを受信し、タイマーＴ初期を開始し、そしてタイマーＴ初期がタイムアウトした場合、仮眠省エネルギーアクティブ状態に入ることにさらに用いられる。
【発明の効果】
【００３８】
上記本発明に係る技術案から見れば、ＯＮＵとＯＬＴとの間に拡張運用管理およびメンテナンス（ＯＡＭ）フレームを介して省エネルギー情報を伝送し、ＯＮＵとＯＬＴが、取得した省エネルギー情報に応じて省エネルギー制御を行い、且つＯＮＵ光モジュールをオフ／オンにすることを含む。本発明の方法によれば、ＯＮＵ光モジュールの動作が必要がない場合、適時に光モジュールをオフにし、ＯＮＵ電力消耗を低減し、ＯＮＵとＯＬＴとの間のインタラクションが省エネルギーと排出削減方面の要求を満たすようになった。
【００３９】
ここで、拡張ＯＡＭフレームは、拡張ＯＡＭイベント通知フォーマット、又は拡張組織専用ＯＡＭフォーマット、又は他の類似する拡張ＯＡＭプロトコルデータユニット（ＰＤＵ：Protocol Data Unit）フォーマットを含む。
【図面の簡単な説明】
【００４０】
【図１】従来のＰＯＮのネットワークアーキテクチャ模式図である。
【図２】本発明ＯＮＵとＯＬＴとの間に省エネルギーメカニズム管理を実現する方法のフローチャートである。
【図３】本発明ＯＮＵとＯＬＴとの間に省エネルギーメカニズム管理を実現するシステムの構成模式図である。
【図４】本発明における第１実施形態において、ＯＮＵが快速睡眠省エネルギーメカニズムでの状態機遷移模式図である。
【図５】本発明における第１実施形態において、ＯＬＴが快速睡眠省エネルギーメカニズムでの状態機遷移模式図である。
【図６】本発明に係る第２実施形態において、ＯＮＵが深度睡眠省エネルギーメカニズムでの状態機遷移模式図である。
【図７】本発明に係る第５実施形態において、ＯＮＵが周期省エネルギーメカニズムでの状態機遷移模式図である。
【図８】本発明に係る第６実施形態において、ＯＮＵが仮眠省エネルギーメカニズムでの状態機遷移模式図である。
【発明を実施するための形態】
【００４１】
図２は本発明ＯＮＵとＯＬＴとの間にインタラクションを実現する方法のフローチャートであり、図２に示すように、以下のステップを含む。
【００４２】
ステップ２００：ＯＮＵとＯＬＴとの間に拡張運用管理およびメンテナンス（ＯＡＭ）フレームを介して省エネルギー情報を伝送する。
【００４３】
当業者にとっては、ＯＮＵとＯＬＴの間のインタラクションが拡張ＯＡＭフレームを介して実現され、拡張ＯＡＭフレームがイーサネットプロトコル８０２．３で定義されたＯＡＭ拡張フォーマットメッセージである。本発明では、拡張ＯＡＭフレームのＯＡＭプロトコルデータユニット情報（INFO OAM PDU）メッセージにおける組織専用情報タイプ−長さ−値（Organization specific information TLV）フィールドに省エネルギー情報を加えてよい、８０２．３における拡張ＯＡＭフレームの拡張ＯＡＭイベント通知（Event Notification）メッセージに省エネルギー情報を加えてもよい。前記省エネルギー情報を伝送することは、前記ＯＮＵがアップリンクでメッセージを介してＯＬＴに送信し、及び／又は前記ＯＬＴがメッセージを介してＯＮＵに送信することを含む。
【００４４】
ここで、省エネルギー情報は、入る省エネルギーメカニズムを指示する省エネルギーメカニズム指示を含み、前記省エネルギーメカニズムに入る持続時間長さ情報を更に含んでよい。
【００４５】
省エネルギーメカニズムは、仮眠、快速睡眠、深度睡眠、周期睡眠等を含んでよい。
【００４６】
ステップ２０１：ＯＮＵとＯＬＴは、取得した省エネルギー情報に応じて省エネルギー制御を行い、且つＯＮＵの光モジュールをオフ／オンにする。
【００４７】
このステップでは、ＯＮＵが省エネルギー情報によって指示される省エネルギーメカニズムに入る場合、全部（アップ・ダウンリンク）又は一部（アップリンク）光モジュールをオフにし、これで省エネルギーの目的を達成する。ＯＬＴはＯＮＵが省エネルギー情報によって指示される省エネルギーメカニズムに入る場合、対応する制御処理を行い、例えば待ち状態に入り、ＯＮＵのＯＬＴ指令に応答しないことによる様々なアラームを抑制し、ダウンリンクで前記ＯＮＵへ伝送するデータストリームをバッファリングする。
【００４８】
省エネルギー情報における省エネルギーメカニズム指示によって指示される省エネルギーメカニズムは快速睡眠メカニズムである場合、ＯＮＵ側において、ＯＮＵ状態機が正常状態、快速睡眠状態及び同期状態という３つの状態を含む。快速睡眠状態に入るようにＯＮＵに指示する場合、正常状態から快速睡眠状態に遷移し、アップ・ダウンリンク光モジュールをオフにし、且つ内部タイマーＴ１をトリガーし、タイマーＴ１時間の長さが省エネルギーメカニズム指示に含まれる睡眠期間に設定され、この時、ＯＮＵがすべてのサービス要求及びＯＬＴからのメッセージに応答しなく、タイマーＴ１がタイムアウトした場合、アップ・ダウンリンク光モジュールをオンにし、ＯＮＵが快速睡眠状態から同期状態に遷移し、ＯＬＴダウンリンクフレームを受信して成功に同期した後、正常状態に戻る。ＯＬＴ側において、快速睡眠状態に入るようにＯＮＵに指示した後、ＯＮＵのＯＬＴ指令に応答しないことによる様々なアラームを抑制（シールド、又はアラームしない）し、ダウンリンクで前記ＯＮＵへ伝送するデータストリームをバッファリングし、内部タイマーＴ２を開始し、Ｔ２のタイムアウト時間が指示に含まれる睡眠持続期間の値に設定され、タイマーＴ２がタイムアウトした場合、ＯＬＴが睡眠待ち状態から正常状態に遷移し、ＯＮＵと正常なデータ通信を行う。
【００４９】
省エネルギー情報における省エネルギーメカニズム指示によって指示される省エネルギーメカニズムは深度睡眠メカニズムである場合、ＯＮＵ側において、ＯＮＵ状態機が正常状態、深度睡眠状態及び同期状態という３つの状態を含む。正常状態である場合、ＯＮＵがアップ・ダウンリンクで前記ＯＬＴとの通信必要なデータフローがないことを検出し、深度睡眠状態に入ることをＯＬＴに通知し、及び当該ＯＮＵが深度睡眠持続時間に入り、且つ、ＯＮＵが深度睡眠状態に入る場合、アップ・ダウンリンク光モジュールをオフにし、ＯＮＵ内部のタイマーＴ１をトリガーし、タイマーＴ１時間の長さが通知における睡眠期間に設定され、タイマーＴ１がタイムアウトした場合、又はＯＮＵにより、ユーザポートには送信必要なアップリンクデータフローがあることを検出する場合、アップ・ダウンリンク光モジュールをオンにし、且つ同期状態に入り、ＯＮＵが同期状態でＯＬＴとのダウンリンクフレーム同期を完了した後、深度睡眠状態から退出することをＯＬＴに通知し、正常に通信でき、ＯＬＴ側において、ＯＬＴがＯＮＵが深度睡眠状態に入る通知を受信した後、ＯＮＵが深度睡眠に入った後に自身の命令に応答しないことによる生じたアラームを抑制し、ダウンリンクで当該睡眠ＯＮＵへ伝送するデータストリームをバッファリングし、ＯＬＴが、ＯＮＵからの、深度睡眠状態から退出する通知を受信した後、ＯＮＵと正常なデータ通信を行う。
【００５０】
省エネルギー情報における省エネルギーメカニズム指示によって指示される省エネルギーメカニズムは仮眠メカニズムである場合、ＯＮＵが仮眠モードに入ると仮眠モードから退出する必要がある場合、ＯＬＴに通知し、且つ仮眠モードに入る場合、アップリンク光モジュールをオフにし、仮眠モードから退出する場合、アップリンク光モジュールをオンにし、前記ＯＬＴが、通知を介して、ＯＮＵが仮眠モードに入る又は仮眠モードから退出する必要があることを取得して、そして確認する。
【００５１】
省エネルギー情報における省エネルギーメカニズム指示によって指示される省エネルギーメカニズムは周期睡眠省エネルギーメカニズムである場合、ＯＮＵ側において、ＯＮＵ状態機が、初期状態、周期省エネルギーアクティブ状態、周期省エネルギースリープ解除状態及び周期省エネルギー状態という４つの状態を含む。ＯＮＵが初期状態に入った後、拡張ＯＡＭによりＯＬＴからの、周期省エネルギー睡眠メカニズムに入ることができるコマンドを受信し、タイマーＴ初期を開始して且つタイマーＴ初期（当該タイマーの役割は、ＯＮＵのために、十分な時間を保留して初期状態に停留させ、その時間の長さは、初期化の完了を保証することを標準とする）がタイムアウトした場合、周期省エネルギーアクティブ状態に入る。ここで、ＯＮＵは周期省エネルギーアクティブ状態で、以下のような２種類の状態遷移可能性がある。
【００５２】
（１）受信又は送信必要なデータフローがないことを検出する場合、周期省エネルギー睡眠メカニズムを使用開始して省エネルギーを行い、ＯＮＵ自身状態を周期省エネルギースリープ解除状態に設定し、タイマーＴ周期省エネルギー（ＯＮＵのために、十分な時間を保留して周期省エネルギースリープ解除状態に停留させる）を開始する。（２）ＯＮＵが拡張ＯＡＭによりＯＬＴからの、周期省エネルギー睡眠メカニズムから退出する又はスリープ解除するコマンドを受信し、初期状態に入り、タイマーＴ初期を開始する。
【００５３】
ＯＮＵが周期省エネルギースリープ解除状態で、以下のような２種類の状態遷移可能性がある。（１）タイマーＴ周期省エネルギーがタイムアウトした後、周期省エネルギー状態に入り、アップ・ダウンリンク光モジュールをオフにし、そしてＯＬＴの以前の、他の管理チャネルで設定された又はＯＮＵ自身によって設定された周期省エネルギー時間設定に応じてタイマーＴ退出を開始する。（２）タイマーＴ周期省エネルギーがタイムアウトする前に、ＯＮＵが拡張ＯＡＭによりＯＬＴからの、周期省エネルギー睡眠メカニズムから退出する又はスリープ解除するコマンドを受信し、又はＯＮＵが、ローカルでアップリンクデータ伝送などの、周期省エネルギー睡眠モードから退出することをトリガーするイベントを検出する場合、ＯＮＵが初期状態に入り、タイマーＴ初期を開始する。
【００５４】
ＯＮＵが周期省エネルギー状態で、以下のような２種類の状態遷移可能性がある。（１）タイマーＴ退出（ＯＮＵのために、十分な時間を保留して周期省エネルギー状態に停留させる）がタイムアウトした場合、ＯＮＵが周期省エネルギー状態から退出し、周期省エネルギースリープ解除状態に入り、アップ・ダウンリンク光モジュールをオンにする。（２）タイマーＴ退出がタイムアウトする前に、ＯＮＵが拡張ＯＡＭによりＯＬＴからの、周期省エネルギー睡眠メカニズムから退出する又はスリープ解除するコマンドを受信し、又はＯＮＵが、ローカルでアップリンクデータ伝送などの、周期省エネルギー睡眠モードから退出することをトリガーするイベントを検出する場合、ＯＮＵが初期状態に入り、タイマーＴ初期を開始する。
【００５５】
省エネルギー情報における省エネルギーメカニズム指示によって指示される省エネルギーメカニズムは仮眠睡眠省エネルギーメカニズムである場合、ＯＮＵ側において、ＯＮＵ状態機が初期状態、仮眠省エネルギーアクティブ状態、仮眠省エネルギースリープ解除状態及び仮眠省エネルギー状態という４つの状態を含む。ＯＮＵが初期状態に入った後、拡張ＯＡＭによりＯＬＴからの、仮眠省エネルギー睡眠メカニズムに入ることができるコマンドを受信し、タイマーＴ初期を開始して且つタイマーＴ初期（当該タイマーの役割は、ＯＮＵのために、十分な時間を保留して初期状態に停留させ、その時間の長さは、初期化の完了を保証することを標準とする）がタイムアウトした場合、仮眠省エネルギーアクティブ状態に入る。ここで、ＯＮＵが仮眠省エネルギーアクティブ状態で、以下のような２種類の状態遷移可能性がある。
【００５６】
（１）受信又は送信必要なデータフローがないことを検出する場合、仮眠省エネルギー睡眠メカニズムを使用開始して省エネルギーを行い、ＯＮＵ自身状態を仮眠省エネルギースリープ解除状態に設定し、タイマーＴ仮眠省エネルギー（ＯＮＵのために、十分な時間を保留して仮眠省エネルギースリープ解除状態に停留させる）を開始する。（２）ＯＮＵが拡張ＯＡＭによりＯＬＴからの、仮眠省エネルギー睡眠メカニズムから退出する又はスリープ解除するコマンドを受信し、初期状態に入り、タイマーＴ初期を開始する。
【００５７】
ＯＮＵが仮眠省エネルギースリープ解除状態で、以下のような２種類の状態遷移可能性がある。（１）タイマーＴ仮眠省エネルギーがタイムアウトした後、仮眠省エネルギー状態に入り、アップリンク光モジュールをオフにし、且つＯＬＴの以前の、他の管理チャネルで設定された又はＯＮＵ自身によって設定された仮眠省エネルギー時間設定に応じてタイマーＴ退出を開始する。（２）タイマーＴ仮眠省エネルギーがタイムアウトする前に、ＯＮＵが拡張ＯＡＭによりＯＬＴからの、仮眠省エネルギー睡眠メカニズムから退出する又はスリープ解除するコマンドを受信し、又はＯＮＵが、ローカルでアップリンクデータ伝送などの、仮眠省エネルギー睡眠モードから退出することをトリガーするイベントを検出する場合、ＯＮＵが初期状態に入り、タイマーＴ初期を開始する。
【００５８】
ＯＮＵが仮眠省エネルギー状態で、以下のような２種類の状態遷移可能性がある。（１）タイマーＴ退出（ＯＮＵのために、十分な時間を保留して仮眠省エネルギー状態に停留させる）がタイムアウトした場合、ＯＮＵが仮眠省エネルギー状態から退出し、仮眠省エネルギースリープ解除状態に入り、アップリンク光モジュールをオンにする。（２）タイマーＴ退出がタイムアウトする前に、ＯＮＵが拡張ＯＡＭによりＯＬＴからの、仮眠省エネルギー睡眠メカニズムから退出する又はスリープ解除するコマンドを受信し、又はＯＮＵが、ローカルでアップリンクデータ伝送などの、仮眠省エネルギー睡眠モードから退出することをトリガーするイベントを検出する場合、ＯＮＵ初期状態に入り、タイマーＴ初期を開始する。
【００５９】
ステップ２０１において異なる省エネルギーメカニズムの具体的な省エネルギー制御の実現は後続の実施形態で詳しく説明する。
【００６０】
本発明方法に対して、ＯＮＵとＯＬＴとの間にインタラクションを実現するシステムを更に提出し、図３に示すように、少なくともＯＮＵとＯＬＴを含み、ここで、
ＯＮＵは、ＯＬＴとの間に拡張ＯＡＭフレームを介して省エネルギー情報を伝送し、取得した省エネルギー情報に応じて省エネルギー制御を行い、且つ光モジュールをオフ／オンにすることに用いられる。
【００６１】
ＯＬＴは、ＯＮＵとの間に拡張ＯＡＭフレームを介して省エネルギー情報を伝送し、取得した省エネルギー情報に応じて省エネルギー制御を行うことに用いられる。
【００６２】
省エネルギー情報における省エネルギーメカニズム指示によって指示される省エネルギーメカニズムは快速睡眠メカニズムである場合、前記ＯＮＵは、具体的に、快速睡眠状態に入るように指示される場合、正常状態から快速睡眠状態に遷移し、アップ・ダウンリンク光モジュールをオフにし、且つタイマーＴ１をトリガーし、タイマーＴ１タイミングの長さが前記省エネルギーメカニズム指示に含まれる睡眠時間の長さに設定され、すべてのサービス要求及びＯＬＴからのメッセージに応答しなく、タイマーＴ１がタイムアウトした場合、快速睡眠状態から同期状態に遷移し、アップ・ダウンリンク光モジュールをオンにし、前記ＯＬＴダウンリンクフレームを受信して且つ成功に同期した後、正常状態に戻ることに用いられる。
【００６３】
前記ＯＬＴは、具体的に、ＯＮＵが快速睡眠状態に入るように指示した後、前記ＯＮＵの自身の指令に応答しないことによるアラームを抑制し、ダウンリンクで前記ＯＮＵへ伝送するデータストリームをバッファリングし、タイマーＴ２を開始し、タイマーＴ２のタイムアウト時間がそれによって送信された指示に含まれる睡眠持続時間の長さの値に設定され、タイマーＴ２がタイムアウトした場合、睡眠待ち状態から正常状態に遷移し、前記ＯＮＵと正常なデータ通信を行うことに用いられる。
【００６４】
前記ＯＬＴは、更に、正常状態にあり、前記ＯＮＵと正常に通信するプロセスでは、ネットワーク管理からの、快速睡眠状態に入るようにＯＮＵを制御することを要求するコマンドを受信し、又は、前記ＯＬＴのメディアアクセス制御ＭＡＣが前記ＯＮＵのアップリンクフローに対してリアルタイム検出を行い、予め設定された時間内にアップリンクフローがないことを検出することに用いられる。
【００６５】
省エネルギー情報における省エネルギーメカニズム指示によって指示される省エネルギーメカニズムは深度睡眠メカニズムである場合、前記ＯＮＵは、具体的に、深度睡眠状態に入る場合、アップ・ダウンリンク光モジュールをオフにし、ＯＮＵタイマーＴ１をトリガーし、タイマーＴ１がタイムアウトした場合、又はユーザポートには送信必要なアップリンクデータフローがあることを検出する場合、アップ・ダウンリンク光モジュールをオンにし、且つ同期状態に入り、同期状態でＯＬＴとのダウンリンクフレーム同期を完了した後、深度睡眠状態から退出することを前記ＯＬＴに通知することに用いられる。
【００６６】
前記ＯＬＴは、具体的に、ＯＮＵが深度睡眠状態に入る通知を受信した後、ＯＮＵが深度睡眠に入った後に自身の命令に応答しないことによる生じたアラームを抑制し、ダウンリンクで前記ＯＮＵへ伝送するデータストリームをバッファリングし、ＯＮＵからの、深度睡眠状態から退出する通知を受信した後、前記ＯＮＵと正常なデータ通信を行うことに用いられる。
【００６７】
前記ＯＮＵは、さらに、正常状態にある場合、アップ・ダウンリンクで前記ＯＬＴとの通信必要なデータフローがないことを検出して、深度睡眠状態に入ることを前記ＯＬＴに通知し、且つ深度睡眠持続時間を指示し、前記タイマーＴ１時間の長さが通知における睡眠期間に設定され、又は、正常状態にある場合、アップ・ダウンリンクで前記ＯＬＴとの通信必要なデータフローがないことを検出して、深度睡眠状態に入ることを前記ＯＬＴに通知し、前記タイマーＴ１時間の長さが、前記ＯＮＵに予め設定された、今回の深度睡眠をスリープ解除しようとする時間の長さに設定されることに用いられる。
【００６８】
省エネルギー情報における省エネルギーメカニズム指示によって指示される省エネルギーメカニズムは仮眠メカニズムである場合、前記ＯＮＵは、具体的に、仮眠モードに入ると仮眠モードから退出する必要がある場合、前記ＯＬＴに通知し、且つ仮眠モードに入る場合、アップリンク光モジュールをオフにし、仮眠モードから退出する場合、アップリンク光モジュールをオンにすることに用いられ、前記ＯＬＴは、具体的に、通知を介してＯＮＵが仮眠モードに入る又は仮眠モードから退出する必要があることを取得し、そして確認することに用いられる。
【００６９】
省エネルギー情報における省エネルギーメカニズム指示によって指示される省エネルギーメカニズムは周期睡眠省エネルギーメカニズムである場合、前記ＯＮＵは、具体的に、周期省エネルギー状態に入り、アップ・ダウンリンク光モジュールをオフにし、且つＯＬＴによって設定された又はＯＮＵ自身によって設定された周期省エネルギー時間設定に応じてタイマーＴ退出を開始し、タイマーＴ退出がタイムアウトした場合、ＯＮＵが周期省エネルギー状態から退出し、周期省エネルギースリープ解除状態に入り、アップ・ダウンリンク光モジュールをオンにし、又は、タイマーＴ退出がタイムアウトする前に、拡張ＯＡＭによりＯＬＴからの、周期省エネルギー睡眠メカニズムから退出する又はスリープ解除するコマンドを受信し、又はＯＮＵが、ローカルでアップリンクデータ伝送などの、周期省エネルギー睡眠モードから退出することをトリガーするイベントを検出する場合、ＯＮＵが初期状態に入り、タイマーＴ初期を開始することに用いられる。
【００７０】
前記ＯＬＴは、具体的に、拡張ＯＡＭを介して周期省エネルギー睡眠メカニズムから退出する又はスリープ解除するコマンドをＯＮＵに送信することに用いられる。
【００７１】
前記ＯＮＵは更に、周期省エネルギーアクティブ状態で、受信又は送信必要なデータフローがないことを検出する場合、周期省エネルギー睡眠メカニズムを使用開始して省エネルギーを行い、ＯＮＵ自身状態を周期省エネルギースリープ解除状態に設定し、タイマーＴ周期省エネルギーを開始し、タイマーＴ周期省エネルギーがタイムアウトした後、周期省エネルギー状態に入り、又は、タイマーＴ周期省エネルギーがタイムアウトする前に、ＯＬＴからの、周期省エネルギー睡眠メカニズムから退出する又はスリープ解除するコマンドを受信し、又はＯＮＵが、ローカルでアップリンクデータ伝送などの、周期省エネルギー睡眠モードから退出することをトリガーするイベントを検出する場合、ＯＮＵが初期状態に入り、タイマーＴ初期を開始することに用いられる。
【００７２】
前記ＯＮＵは更に、初期状態に入った後、拡張ＯＡＭによりＯＬＴからの、周期省エネルギー睡眠メカニズムに入ることができるコマンドを受信し、タイマーＴ初期を開始し、そしてタイマーＴ初期がタイムアウトした場合、周期省エネルギーアクティブ状態に入ることに用いられる。
【００７３】
省エネルギー情報における省エネルギーメカニズム指示によって指示される省エネルギーメカニズムは仮眠睡眠省エネルギーメカニズムである場合、前記ＯＮＵは、具体的に、仮眠省エネルギー状態に入り、アップリンク光モジュールをオフにし、且つＯＬＴによって設定された又はＯＮＵ自身によって設定された仮眠省エネルギー時間設定に従ってタイマーＴ退出を開始し、タイマーＴ退出がタイムアウトした場合、ＯＮＵが仮眠省エネルギー状態から退出し、仮眠省エネルギースリープ解除状態に入り、アップリンク光モジュールをオンにし、又は、タイマーＴ退出がタイムアウトする前に、拡張ＯＡＭによりＯＬＴからの、仮眠睡眠省エネルギーメカニズムから退出する又はスリープ解除するコマンドを受信し、又はＯＮＵが、ローカルでアップリンクデータ伝送などの、仮眠省エネルギー睡眠モードから退出することをトリガーするイベントを検出する場合、ＯＮＵが初期状態に入り、タイマーＴ初期を開始することに用いられる。
【００７４】
前記ＯＬＴは、具体的に、拡張ＯＡＭを介して仮眠省エネルギー睡眠メカニズムから退出する又はスリープ解除するコマンドをＯＮＵに送信することに用いられる。
【００７５】
前記ＯＮＵは更に、仮眠省エネルギーアクティブ状態で、受信又は送信必要なデータフローがないことを検出する場合、仮眠省エネルギー睡眠メカニズムを使用開始して省エネルギーを行い、ＯＮＵ自身状態を仮眠省エネルギースリープ解除状態に設定し、タイマーＴ仮眠省エネルギーを開始し、タイマーＴ仮眠省エネルギーがタイムアウトした後、仮眠省エネルギー状態に入り、又は、タイマーＴ仮眠省エネルギーがタイムアウトする前に、ＯＬＴからの、仮眠省エネルギー睡眠メカニズムから退出する又はスリープ解除するコマンドを受信し、又はＯＮＵが、ローカルでアップリンクデータ伝送などの、仮眠省エネルギー睡眠モードから退出することをトリガーするイベントを検出する場合、ＯＮＵが初期状態に入り、タイマーＴ初期を開始する。
【００７６】
前記ＯＮＵは更に、初期状態に入った後、拡張ＯＡＭによりＯＬＴからの、仮眠省エネルギー睡眠メカニズムに入ることができるコマンドを受信し、タイマーＴ初期を開始し、そしてタイマーＴ初期がタイムアウトした場合、仮眠省エネルギーアクティブ状態に入る。
【００７７】
以下、実施形態を合わせて、本発明案に対して詳細に説明する。
第１実施形態は、拡張ＯＡＭフレームを介して快速睡眠省エネルギーメカニズムの省エネルギー制御を行う。
【００７８】
ＯＬＴが正常状態にあり、ＯＮＵと正常通信を行うプロセスでは、ネットワーク管理からの、快速睡眠状態に入るようにＯＮＵを制御することを要求するコマンドを受信する。又は、ＯＬＴのメディアアクセス制御（ＭＡＣ）がＯＮＵのアップリンクフローに対してリアルタイム検出を行い、予め設定された所定の時間内にアップリンクフローがないことを検出した後、快速睡眠状態に入るようにＯＬＴに要求する。ここで、アップリンクフローに対するリアルタイム検出の具体的な実現が従来の技術に属し、本発明の保護範囲内になく、その具体的な実現形態も本発明の保護範囲を限定することに用いられない。
【００７９】
まず、ＯＬＴが表１に示すような快速睡眠を通知するための拡張ＯＡＭメッセージをＯＮＵに送信し、快速睡眠（Ｆ−ＳＬＥＰＰ）通知メッセージとも称する。同時に、ＯＬＴが当該Ｆ−ＳＬＥＰＰ通知メッセージを送信した後、睡眠待ち状態Ｓ２に入り、そしてＯＮＵの、ＯＬＴ指令に応答しないことによる様々なアラームを抑制（シールド、又はアラームしない）し、ダウンリンクで前記ＯＮＵへ伝送するデータストリームをバッファリングし、内部タイマーＴ２を開始し、Ｔ２のタイムアウト時間が、メッセージに含まれる睡眠持続時間の長さの値（即ち睡眠時間の長さ）に設定される。
【００８０】
【表１】
2013538531.tif 000003
【００８１】
表１に示すように、Ｆ−ＳＬＥＰＰ通知メッセージには、快速睡眠指示（例えば、表１で、Ｌｅａｆ＝０ｘ００９０となり、ここで、ただ例を挙げて説明し、値が変更されてもよく、ＯＮＵとＯＬＴの間に互に約定すればよい。）、及び睡眠持続時間の長さの値（例えば、表１における睡眠時間の長さ）が含まれる。
【００８２】
そして、ＯＮＵ側では、ＯＮＵがＦ−ＳＬＥＰＰ通知メッセージを受信した後、図４に示すように、正常状態から快速睡眠状態に遷移し、アップ・ダウンリンク光モジュールをオフにし、且つ内部タイマーＴ１をトリガーし、タイマーＴ１のタイムアウト値が、受信したＦ−Ｓｌｅｅｐ通知メッセージに含まれる睡眠時間の長さに設定され、この時、ＯＮＵがすべてのサービス要求及びＯＬＴからのメッセージにもう応答しなく、タイマーＴ１がタイムアウトした場合、ＯＮＵが快速睡眠状態から同期状態に遷移し、アップ・ダウンリンク光モジュールをオンにし、ＯＬＴダウンリンクフレームを受信して同期を実行し、ＯＮＵが同期状態で、ＯＬＴダウンリンクフレームと同期成功した後、正常状態に戻る。
【００８３】
ＯＬＴ側では、タイマーＴ２がタイムアウトした場合、ＯＬＴが睡眠待ち状態から正常状態に遷移し、ＯＮＵと正常なデータ通信を行い、図５に示すように、図５は本発明第１実施形態において、ＯＬＴが快速睡眠省エネルギーメカニズムでの状態機遷移模式図である。
【００８４】
第１実施形態では、ＯＮＵが快速睡眠状態に入る場合、アップ・ダウンリンク光モジュールのオフが省エネルギーの目的を達成し、この時、アップ・ダウンリンクデータフローが回復する場合、まずバッファーリングを行い、ＯＮＵ同期が成功して正常状態になった時にデータを再送信する。
【００８５】
ここで、ＯＬＴは主にＯＮＵアクティブ周期（正常動作状態にある）／睡眠周期（この時、光モジュールをオフにする）時間に対して制御し、本発明は簡単な方法で制御してもよく、例えば、光モジュールをリアルタイムにＮミリ秒（ｍｓ）オンにし、そして光モジュールをリアルタイムにＭミリ秒（通常はＮがＭより大きい）オフにする。又は、ＯＮＵにおけるデータフローに対する検出を合わせて、データフローがないことを検出する場合、光モジュールをＭミリ秒オフにし、そして光モジュールをオンにし、再び検出する。睡眠周期におけるダウンリンクデータフローがＯＬＴによりバッファーリングを行い、アップリンクデータフローがＯＮＵによりバッファーリングを行う。
【００８６】
第２実施形態は、拡張ＯＡＭフレームを介して深度睡眠省エネルギーメカニズムの省エネルギー制御を行い、且つ深度睡眠がスリープ解除された後、同期を直接実行する。
【００８７】
ＯＮＵが正常状態にあり、アップ・ダウンリンクで前記ＯＬＴとの通信必要なデータフローがないことを検出する。ここで、ＯＮＵが正常状態でアップ・ダウンリンクデータフローが存在するかを検出することは、本分野の周知技術に属し、本発明の保護範囲になく、その具体的な実現形態も本発明の保護範囲を限定することに用いられない。
【００８８】
まず、ＯＮＵが表２−１又は表２−２に示すような深度睡眠に入ることを通知する拡張ＯＡＭメッセージをＯＬＴに送信し、深度睡眠（Ｄ−ＳＬＥＥＰ）通知メッセージとも称し、ＯＮＵ自身が深度睡眠状態に入ることをＯＬＴに通知し、そしてＤ−ＳＬＥＥＰ通知メッセージには、深度睡眠に入る指示（例えば、表２−１と表２−２において深度睡眠動作通知パラメータ  Ｌｅａｆ＝０ｘ００９０、ここで、ただ例を挙げて説明し、値が変更されてもよく、ＯＮＵとＯＬＴの間に互に約定すればよい。）、及び深度睡眠持続時間（例えば、表２−１と表２−２における睡眠期間）が含まれ、同時に、ＯＮＵが深度睡眠状態に入る。
【００８９】
【表２−１】
2013538531.tif 000004
【００９０】
【表２−２】
2013538531.tif 000005
【００９１】
そして、ＯＮＵ側では、図６に示すように、ＯＮＵが深度睡眠状態に入る場合、アップ・ダウンリンク光モジュールをオフにし、ＯＮＵ内部タイマーＴ１をトリガーし、タイマーＴ１タイミングの長さが、Ｄ−ＳＬＥＥＰ通知メッセージにおける睡眠時間に設定され、ＯＮＵ内部タイマーＴ１がタイムアウトした場合、又は前記ＯＮＵにより、ユーザポートには送信必要なアップリンクデータフローがあることを検出した場合、アップ・ダウンリンク光モジュールをオンにし、ＯＬＴダウンリンクフレームを受信し、同期状態に入り、ＯＮＵが同期状態で、ＯＬＴとのダウンリンクフレーム同期を完了した後、表３−１又は表３−２に示すような深度睡眠から退出することを通知するための拡張ＯＡＭメッセージをＯＬＴに送信し、Ｄ−ＳＬＥＥＰ退出通知メッセージとも称し、ＯＮＵ自身が深度睡眠状態から退出することをＯＬＴに通知し、正常通信を行うことができる。
【００９２】
【表３−１】
2013538531.tif 000006
【００９３】
【表３−２】
2013538531.tif 000007
【００９４】
ＯＬＴ側では、ＯＬＴがＤ−ＳＬＥＥＰ通知メッセージを受信した後、ＯＮＵが深度睡眠に入った後、ＯＬＴ指令に応答しなくて生じた様々なアラームを抑制し、ダウンリンクで当該睡眠ＯＮＵへ伝送するデータストリームをバッファリングする。ＯＬＴが、ＯＮＵからの、Ｄ−ＳＬＥＥＰ退出通知メッセージを受信した後、ＯＮＵと正常なデータ通信を行う。
【００９５】
第３実施形態は、拡張ＯＡＭフレームを介して深度睡眠省エネルギーメカニズムの省エネルギー制御を行い、且つ深度睡眠がスリープ解除された後、所定の時間を待った後、同期を行う。
【００９６】
ＯＮＵが正常状態にあり、アップ・ダウンリンクで前記ＯＬＴとの通信必要なデータフローがないことを検出する。ここで、ＯＮＵが正常状態でアップ・ダウンリンクデータフローが存在するかを検出することは、本分野の周知技術に属し、本発明の保護範囲になく、その具体的な実現形態も本発明の保護範囲を限定することに用いられない。
【００９７】
まず、ＯＮＵが表４−１又は表４−２に示すような深度睡眠に入ることを通知するための拡張ＯＡＭメッセージをＯＬＴに送信し、深度睡眠（Ｄ−ＳＬＥＥＰ）通知メッセージとも称し、ＯＮＵ自身が深度睡眠状態に入ることをＯＬＴに通知し、そしてＤ−ＳＬＥＥＰ通知メッセージには、深度睡眠に入る指示（例えば表４−１と表４−２において深度睡眠動作通知＝０ｘ０１）が含まれ、同時に、ＯＮＵが深度睡眠状態に入る。
【００９８】
【表４−１】
2013538531.tif 000008
【００９９】
【表４−２】
2013538531.tif 000009
【０１００】
そして、ＯＮＵ側では、ＯＮＵが深度睡眠状態に入る場合、アップ・ダウンリンク光モジュールをオフにし、ＯＮＵ内部タイマーＴ１をトリガーし、タイマーＴ１タイミングの長さが、ＯＮＵにより予め設定された、今回の深度睡眠を実行しようとする時間の長さに設定される。ＯＮＵ内部タイマーＴ１がタイムアウトした場合、アップリンクで伝送必要なデータフローがあることを検出しない場合、タイマーＴ１をリセットし、そして待ち続ける。ＯＮＵがアップリンクで伝送必要なデータフローがあることを検出する場合、アップ・ダウンリンク光モジュールをオンにし、ＯＬＴダウンリンクフレームが同期状態に入る。ＯＮＵが同期状態にあり、ＯＬＴとのダウンリンクフレーム同期を完了した後、表５−１又は５−２に示すような深度睡眠から退出することを通知するための拡張ＯＡＭメッセージをＯＬＴに送信し、Ｄ−ＳＬＥＥＰ退出通知メッセージとも称し、ＯＮＵ自身が深度睡眠状態から退出することをＯＬＴに通知し、正常に通信できる。
【０１０１】
【表５−１】
2013538531.tif 000010
【０１０２】
【表５−２】
2013538531.tif 000011
【０１０３】
ＯＬＴ側では、ＯＬＴがＤ−ＳＬＥＥＰ通知メッセージを受信した後、ＯＮＵが深度睡眠に入った後、ＯＬＴ指令に応答しなくて生じた様々なアラームを抑制し、ダウンリンクで当該睡眠ＯＮＵへ伝送するデータストリームをバッファリングする。ＯＬＴがＯＮＵからの、Ｄ−ＳＬＥＥＰ退出通知メッセージを受信した後、ＯＮＵと正常なデータ通信を行う。
【０１０４】
第２実施形態と第３実施形態では、深度睡眠省エネルギーメカニズムは、主にＯＮＵ自身により深度睡眠状態に入ると深度睡眠状態から退出することを制御するものであり、且つ深度睡眠期間で、光モジュールのオフが省エネルギーの目的を達成する。なお、光モジュールのオフでは、１つの最小のアクティブチェック機能又はタイマーのみを保留し、サービス要求を検出した場合、例えばオフフック、データ要求等、又はローカルタイマーがタイムアウトした場合、スリープ解除して正常状態に入る。
【０１０５】
また、ＯＮＵによって報告された睡眠時間の長さに従って、１つの許容時間を設定し、その許容時間内において、ずっとＯＮＵからのアップリンク信号を受信しないと、当該ＯＮＵが電源オフだと考えられる。つまり、ＯＮＵが睡眠に入る場合指示睡眠期間が１００ミリ秒を報告し、ＯＬＴが１２０ミリ秒の時間を設定し、正常の場合に、１００ミリ秒後、ＯＮＵがスリープ解除されてから、ＯＬＴのシグナルに応答でき、１２０ミリ秒の際に、ＯＮＵが依然として応答しないと、ＯＮＵが電源オフだと考えられる。
【０１０６】
なお、ＯＮＵが、予め設定された、十分に長い時間で深度睡眠状態にあることを持続してＯＮＵによりスリープ解除された後、距離測定をもう１回再実行する必要があり、距離測定の具体的な実現が本発明に関わらず、従来の技術に属し、その具体的な実現が本発明の保護範囲を限定することに用いられない。
【０１０７】
第４実施形態は、拡張ＯＡＭフレームを介して仮眠省エネルギーメカニズムの省エネルギー制御を行う。
【０１０８】
ＯＮＵが正常動作状態にあり、且つＯＮＵのアップ・ダウンリンクにおいてデータフローがある場合に、ＯＬＴが仮眠動作モードに動作するようにＯＮＵを設定する。
【０１０９】
まず、ＯＮＵアップリンクフローの送信を中止し、ＯＮＵがアップリンクで休眠状態に入る要求を送信し、当該要求メッセージが表６−１又は６−２に示すような仮眠モードに入ることを通知する拡張ＯＡＭメッセージにより完了され、表６−１又は表６−２に示すように、仮眠モード入り通知メッセージとも称する。
【０１１０】
【表６−１】
2013538531.tif 000012
【０１１１】
【表６−２】
2013538531.tif 000013
【０１１２】
そして、ＯＮＵ側では、ＯＮＵが仮眠状態に入った後、アップリンク光モジュールをオフにする。ＯＮＵが永久仮眠（即ちオフライン）であるかの検出を実行するために、ＯＬＴがハートビートメッセージにより周期的にハートビートメッセージを送信し、当該ハートビートメッセージが拡張ＯＡＭメッセージにより完了され、当該ハートビートメッセージが表７に示す通りである。
【０１１３】
【表７】
2013538531.tif 000014
【０１１４】
ＯＮＵが永久休眠（オフライン）しないと、瞬間にスリープ解除状態に入って、ＯＬＴからのハートビートメッセージに応答し、応答した後、休眠状態に再び入る。所定の時間内において、ＯＮＵがＯＬＴからのハートビートメッセージに応答しないと、ＯＮＵオフラインだと考えられ、オフライン状態に入る。ＯＮＵアップリンクでデータフローが再びあった場合に、ＯＮＵが表８−１又は表８−２に示すような仮眠モードを中止することを通知する拡張ＯＡＭメッセージを介して、仮眠モード退出通知メッセージとも称し、アップリンク光モジュールをオンにし、ＯＮＵ自身が再びスリープ解除されることをＯＬＴに通知し、表８−１又は表８−２に示す通りである。
【０１１５】
【表８−１】
2013538531.tif 000015
【０１１６】
【表８−２】
2013538531.tif 000016
【０１１７】
ＯＬＴ側では、ＯＬＴが仮眠モード入り通知メッセージを受信した後、ＯＮＵが現在仮眠モードで動作できることを確認し、仮眠状態に入る条件を満たし、拡張ＯＡＭメッセージを介して仮眠状態に入ることができる確認メッセージをＯＮＵに送信し、当該確認メッセージが表９に示す通りである。なお、どのように仮眠状態に入る条件を満たすかについて、その具体的な実現形態が本発明の保護範囲内になく、実際応用では、ＯＬＴよりＯＮＵが省エネルギー状態に入るかを制御する。
【０１１８】
【表９】
2013538531.tif 000017
【０１１９】
ＯＬＴが仮眠モード退出通知メッセージを受信した後、ＯＮＵが現在正常状態にあることを確認する。
【０１２０】
仮眠モードで、本発明の拡張ＯＡＭメッセージを介して、ＯＮＵの動作状態を効果的に検出でき、且つＯＮＵの具体的な動作状態要求に対して応答し、ＯＮＵが仮眠モードでの各状態の間の正常切り替えを保証した。
【０１２１】
第５実施形態は、拡張ＯＡＭ管理ＯＮＵを介して周期省エネルギーモード（つまり周期睡眠省エネルギーモード）に入る省エネルギー制御を行う。
【０１２２】
図７に示すように、仮にＯＮＵが初期状態に入った後、拡張ＯＡＭによりＯＬＴからの、周期睡眠省エネルギーメカニズムに入ることができるコマンドを受信し、タイマーＴ初期を開始して且つタイマーＴ初期（当該タイマーの役割は、ＯＮＵのために、十分な時間を保留して初期状態に停留させ、その時間の長さは、初期化の完了を保証することを標準とする）がタイムアウトした場合、周期省エネルギーアクティブ状態に入る。
【０１２３】
ＯＮＵが周期省エネルギーアクティブ状態で、図７に示すように、以下のような２種類の状態遷移可能性がある。
【０１２４】
第１種は、ＯＮＵが送信必要なデータがないことを検出し、周期睡眠省エネルギーメカニズムを使用開始して省エネルギーを行う場合、ＯＮＵ自身状態を周期省エネルギースリープ解除状態に設定し、タイマーＴ周期省エネルギーを開始する。
【０１２５】
第２種は、ＯＮＵが、拡張ＯＡＭチャネルによりＯＬＴからの、表１０に示すような周期睡眠省エネルギーメカニズムから退出するコマンド又は表１１に示すようなスリープ解除するコマンドを受信すると、ＯＮＵ初期状態に入り、タイマーＴ初期を開始する。
【０１２６】
【表１０】
2013538531.tif 000018
【０１２７】
【表１１】
2013538531.tif 000019
【０１２８】
ＯＮＵが周期省エネルギースリープ解除状態で、図７に示すように、以下のような２種類の状態遷移可能性がある。
【０１２９】
第１種は、タイマーＴ周期省エネルギーがタイムアウトした後、周期省エネルギー状態に入り、アップ・ダウンリンク光モジュールをオフにし、且つＯＬＴの以前の他の管理チャネルにより設定された又はＯＮＵ自身によって設定された周期省エネルギー時間設定に応じてタイマーＴ退出を開始する。
【０１３０】
第２種は、タイマーＴ周期省エネルギーがタイムアウトする前に、ＯＮＵが、拡張ＯＡＭチャネルによりＯＬＴからの、周期睡眠省エネルギーメカニズムから退出するコマンド（表１０に示す）又はスリープ解除されるコマンド（表１１に示す）を受信し、又は、ＯＮＵが、ローカルでアップリンクデータ伝送などの、周期睡眠省エネルギーモードから退出することをトリガーするイベントを検出する場合、ＯＮＵ初期状態に入り、タイマーＴ初期を開始する。
【０１３１】
ＯＮＵが周期省エネルギー状態で、図７に示すように、以下のような２種類の状態遷移可能性がある。
【０１３２】
第１種は、タイマーＴ退出がタイムアウトし、ＯＮＵが周期省エネルギー状態から退出し、アップ・ダウンリンク光モジュールをオンにし、周期省エネルギースリープ解除状態に入る。
【０１３３】
第２種は、タイマーＴ退出がタイムアウトする前に、ＯＮＵが、ローカルでアップリンクデータ伝送などの、周期省エネルギー睡眠モードから退出することをトリガーするイベントを検出する場合、ＯＮＵ初期状態に入り、タイマーＴ初期を開始する。
【０１３４】
ＯＮＵが初期状態に入った後、拡張ＯＡＭチャネルによりＯＬＴからの、表１２に示すような周期省エネルギー睡眠メカニズムに入ることができるコマンドを受信し、且つタイマーＴ初期がタイムアウトした後、周期省エネルギーアクティブ状態に入る。
【０１３５】
【表１２】
2013538531.tif 000020
【０１３６】
第５実施形態から見れば、周期省エネルギーモードで、拡張ＯＡＭメッセージを介してＯＮＵが周期省エネルギーモードでの各状態の間の正常な切り替えを効果的に駆動して制御した。なお、本実施における制御及び指令モードの実施形態が仮眠省エネルギーメカニズムに応用されてもよく、唯一な区別は、周期省エネルギー状態で、ＯＮＵがＯＬＴの任意のメッセージと指令を受信できなく、ローカルでアップリンクデータ伝送又はリアルタイム退出などのトリガー条件を検出することだけで周期省エネルギーモードから退出し、且つ初期状態に遷移する。仮眠省エネルギーメカニズムに対しては、仮眠省エネルギー状態で、ＯＮＵがローカルがアップリンクデータ伝送又はリアルタイム退出などのトリガー条件を検出して仮眠省エネルギーモードから退出するほかに、更にＯＬＴからの退出又は中止指令により初期状態に遷移する。指令の具体的なフォーマットは表９を参照し、しかしながら、その内容が、退出又は中止の指令に設定されてよい、実施形態６を参照する。他のプロセスが完全に同じである。
【０１３７】
第６実施形態は、拡張ＯＡＭを介してＯＮＵが仮眠省エネルギーモードに入る省エネルギー制御又は管理を行う。
【０１３８】
図８に示すように、ＯＮＵが初期状態に入った後、拡張ＯＡＭによりＯＬＴからの、仮眠省エネルギーメカニズムに入ることができるコマンドを受信し、タイマーＴ初期を開始して且つタイマーＴ初期（当該タイマーの役割は、ＯＮＵのために、十分な時間を保留して初期状態に停留させ、その時間の長さは、初期化の完了を保証することを標準とする）がタイムアウトした場合、仮眠省エネルギーアクティブ状態に入る。
【０１３９】
ＯＮＵが仮眠省エネルギーアクティブ状態で、図８に示すように、以下のような２種類の状態遷移可能性がある。
【０１４０】
第１種は、ＯＮＵが送信必要なデータがないことを検出し、仮眠省エネルギーメカニズムを使用開始して省エネルギーを行う場合、ＯＮＵ自身状態を仮眠省エネルギースリープ解除状態に設定し、タイマーＴ仮眠省エネルギーを開始する。
【０１４１】
第２種は、ＯＮＵが、拡張ＯＡＭチャネルによりＯＬＴからの、表１０に示すような仮眠省エネルギーメカニズムから退出するコマンド又は表１１に示すようなスリープ解除するコマンドを受信すると、ＯＮＵ初期状態に入り、タイマーＴ初期を開始する。
【０１４２】
ＯＮＵが仮眠省エネルギースリープ解除状態で、図８に示すように、以下のような２種類の状態遷移可能性がある。
【０１４３】
第１種は、タイマーＴ仮眠省エネルギーがタイムアウトした後、仮眠省エネルギー状態に入り、アップリンク光モジュールをオフにし、且つＯＬＴの以前の他の管理チャネルにより設定された又はＯＮＵ自身によって設定された周期省エネルギー時間設定に応じてタイマーＴ退出を開始する。
【０１４４】
第２種は、タイマーＴ仮眠省エネルギーがタイムアウトする前に、ＯＮＵが、拡張ＯＡＭチャネルによりＯＬＴからの、仮眠省エネルギーメカニズムから退出するコマンド（表１２に示すように）又はスリープ解除するコマンド（表１３に示すように）を受信し、又は、ＯＮＵがローカルでアップリンクデータ伝送などの、仮眠省エネルギーモードから退出することをトリガーするイベントを検出し、ＯＮＵ初期状態に入り、タイマーＴ初期を開始する。
【０１４５】
【表１２】
2013538531.tif 000021
【０１４６】
【表１３】
2013538531.tif 000022
【０１４７】
ＯＮＵが仮眠省エネルギー状態で、図８に示すように、以下のような２種類の状態遷移可能性がある。
【０１４８】
第１種は、タイマーＴ退出がタイムアウトし、ＯＮＵが仮眠省エネルギー状態から退出し、アップリンク光モジュールをオンにし、仮眠省エネルギースリープ解除状態に入る。
【０１４９】
第２種は、タイマーＴ退出がタイムアウトする前に、ＯＮＵが、拡張ＯＡＭチャネルによりＯＬＴからの、仮眠省エネルギーメカニズムから退出するコマンド（表１２に示すように）又はスリープ解除するコマンド（表１３に示すように）を受信し、又は、ＯＮＵがローカルでアップリンクデータ伝送などの、仮眠省エネルギーモードから退出することをトリガーするイベントを検出すると、ＯＮＵ初期状態に入り、タイマーＴ初期を開始する。
ＯＮＵが初期状態に入った後、拡張ＯＡＭチャネルによりＯＬＴからの、表１４に示すような仮眠省エネルギーメカニズムに入ることができるコマンドを受信し、且つタイマーＴ初期がタイムアウトした後、仮眠省エネルギーアクティブ状態に入る。
【０１５０】
【表１４】
2013538531.tif 000023
以上の説明は、本発明の好適な実施形態に過ぎず、本発明を限定するものではない。本発明の趣旨及び範囲を逸脱することなく実施されたあらゆる修正、同等の置換及び改良等は、すべて本発明の保護範囲に属する。
【図１】
2013538531.tif 000024
【図２】
2013538531.tif 000025
【図３】
2013538531.tif 000026
【図４】
2013538531.tif 000027
【図５】
2013538531.tif 000028
【図６】
2013538531.tif 000029
【図７】
2013538531.tif 000030
【図８】
2013538531.tif 000031
【手続補正書】
【提出日】平成25年5月10日(2013.5.10)
【手続補正１】
【補正対象書類名】特許請求の範囲
【補正対象項目名】全文
【補正方法】変更
【補正の内容】
【特許請求の範囲】
【請求項１】
光ネットワークユニットＯＮＵと光回線端末ＯＬＴとの間に省エネルギーメカニズム管理を実現する方法であって、
ＯＮＵとＯＬＴとの間に拡張運用管理およびメンテナンスフレームを介して省エネルギー情報を伝送するステップと、
取得した省エネルギー情報に応じてＯＮＵの光モジュールをオフ／オンにするステップとを含むことを特徴とする方法。
【請求項２】
前記省エネルギー情報が、前記拡張ＯＡＭフレームのＯＡＭプロトコルデータユニット情報メッセージにおける組織専用情報タイプ−長さ−値フィールドに含まれ、又は、
前記省エネルギー情報が、前記拡張ＯＡＭフレームの拡張ＯＡＭイベント通知メッセージに含まれ、又は、
前記省エネルギー情報が、前記拡張ＯＡＭフレームの拡張ＯＡＭプロトコルデータユニットＰＤＵフォーマットに含まれることを特徴とする
請求項１に記載の方法。
【請求項３】
前記省エネルギー情報は、入る省エネルギーメカニズムを指示する省エネルギーメカニズム指示と、前記省エネルギーメカニズムに入る持続時間長さ情報とのうちの少なくと
も１つを含むことを特徴とする
請求項１に記載の方法。
【請求項４】
前記伝送省エネルギー情報は、
前記ＯＮＵがアップリンクでメッセージを介してＯＬＴに送信され、及び／又は前記ＯＬＴがメッセージを介してＯＮＵに送信されることを含むことを特徴とする
請求項１に記載の方法。
【請求項５】
前記省エネルギー情報における省エネルギーメカニズム指示によって指示される省エネルギーメカニズムは快速睡眠メカニズムであり、
前記ＯＮＵとＯＬＴが、取得した省エネルギー情報に応じて、省エネルギー制御を行い、且つＯＮＵの光モジュールをオフ／オンにすることは、
快速睡眠状態に入るようにＯＮＵに指示する場合、前記ＯＮＵが正常状態から快速睡眠状態に遷移し、アップ・ダウンリンク光モジュールをオフにし、そしてタイマーＴ１をトリガーし、タイマーＴ１タイミングの長さが前記省エネルギーメカニズム指示に含まれる睡眠時間の長さに設定され、前記ＯＮＵがすべてのサービス要求及びＯＬＴからのメッセージに応答しない、タイマーＴ１がタイムアウトした場合、アップ・ダウンリンク光モジュールをオンにし、前記ＯＮＵが快速睡眠状態から同期状態に遷移し、前記ＯＬＴダウンリンクフレームを受信して、且つ成功に同期した後、正常状態に戻り、
前記ＯＬＴが快速睡眠状態に入るようにＯＮＵに指示した後、前記ＯＮＵの自身の指令に応答しないことによるアラームを抑制し、ダウンリンクで前記ＯＮＵへ伝送するデータストリームをバッファリングし、タイマーＴ２を開始し、タイマーＴ２のタイムアウト時間がそれによって送信された指示に含まれる睡眠持続時間の長さの値に設定され、
タイマーＴ２がタイムアウトした場合、前記ＯＬＴが睡眠待ち状態から正常状態に遷移し、前記ＯＮＵと正常なデータ通信を行うことを含むことを特徴とする
請求項１に記載の方法。
【請求項６】
前記省エネルギー情報における省エネルギーメカニズム指示によって指示される省エネルギーメカニズムは深度睡眠メカニズムであり、前記ＯＮＵとＯＬＴが、取得した省エネルギー情報に応じて、省エネルギー制御を行い、且つＯＮＵの光モジュールをオフ／オンにすることは、
前記ＯＮＵが深度睡眠状態に入る場合、アップ・ダウンリンク光モジュールをオフにし、ＯＮＵタイマーＴ１をトリガーし、タイマーＴ１がタイムアウトした場合、又は前記ＯＮＵにより、ユーザポートには送信必要なアップリンクデータフローがあることを検出した場合、アップ・ダウンリンク光モジュールをオンにし、且つ同期状態に入り、前記ＯＮＵが同期状態でＯＬＴとのダウンリンクフレーム同期を完了した後、深度睡眠状態から退出することを前記ＯＬＴに通知し、
前記ＯＬＴがＯＮＵが深度睡眠状態に入る通知を受信した後、ＯＮＵが深度睡眠に入った後に自身の命令に応答しないことによる生じたアラームを抑制し、ダウンリンクで前記ＯＮＵへ伝送するデータストリームをバッファリングし、前記ＯＬＴが、ＯＮＵからの、深度睡眠状態から退出する通知を受信した後、前記ＯＮＵと正常なデータ通信を行うことを含み、
当該方法は、
前記ＯＮＵが、予め設定された時間内に、ずっと深度睡眠状態にあり、スリープ解除された後、距離測定を再実行することをさらに含むことを特徴とする
請求項１に記載の方法。
【請求項７】
前記省エネルギー情報における省エネルギーメカニズム指示によって指示される省エネルギーメカニズムは仮眠メカニズムであり、前記ＯＮＵとＯＬＴが、取得した省エネルギー情報に応じて、省エネルギー制御を行い、ＯＮＵの光モジュールをオフ／オンにすることは、
前記ＯＮＵが仮眠モードに入ると仮眠モードから退出する必要がある場合、前記ＯＬＴに通知し、且つ、仮眠モードに入る場合、アップリンク光モジュールをオフにし、仮眠モードから退出する場合、アップリンク光モジュールをオンにし、
前記ＯＬＴが、通知を介して、ＯＮＵが仮眠モードに入る又は仮眠モードから退出する必要があることを取得して、そして確認することを含み、
当該方法は、
前記ＯＮＵが仮眠モードにあり、前記ＯＮＵとＯＬＴとの間に、ハートビートメッセージを介して前記ＯＮＵが永久仮眠状態にあるかを検出することをさらに含むことを特徴とする
請求項１に記載の方法。
【請求項８】
前記省エネルギー情報における省エネルギーメカニズム指示によって指示される省エネルギーメカニズムは、周期睡眠省エネルギーメカニズムであり、前記ＯＮＵとＯＬＴが、取得した省エネルギー情報に応じて、省エネルギー制御を行い、且つＯＮＵの光モジュールをオフ／オンにすることは、
前記ＯＮＵが周期省エネルギー状態に入り、アップ・ダウンリンク光モジュールをオフにし、且つＯＬＴによって設定された又はＯＮＵ自身によって設定された周期省エネルギー時間設定に従ってタイマーＴ退出を開始し、
タイマーＴ退出がタイムアウトした場合、前記ＯＮＵが周期省エネルギー状態から退出し、周期省エネルギースリープ解除状態に入り、アップ・ダウンリンク光モジュールをオンにし、又は、タイマーＴ退出がタイムアウトする前に、拡張ＯＡＭによりＯＬＴからの、周期省エネルギー睡眠メカニズムから退出する又はスリープ解除するコマンドを受信し、又はＯＮＵが、ローカルでアップリンクデータ伝送などの、周期省エネルギー睡眠モードから退出することをトリガーするイベントを検出する場合、ＯＮＵが初期状態に入り、タイマーＴ初期を開始することを含み、
当該方法は、
前記ＯＬＴが、拡張ＯＡＭを介して、周期省エネルギー睡眠メカニズムから退出する又はスリープ解除するコマンドをＯＮＵに送信することをさらに含むことを特徴とする
請求項１に記載の方法。
【請求項９】
前記省エネルギー情報における省エネルギーメカニズム指示によって指示される省エネルギーメカニズムは仮眠睡眠省エネルギーメカニズムであり、前記ＯＮＵとＯＬＴが、取得した省エネルギー情報に応じて、省エネルギー制御を行い、且つＯＮＵの光モジュールをオフ／オンにすることは、
前記ＯＮＵが仮眠省エネルギー状態に入り、アップリンク光モジュールをオフにし、且つＯＬＴによって設定された又はＯＮＵ自身によって設定された仮眠省エネルギー時間設定に従ってタイマーＴ退出を開始し、
タイマーＴ退出がタイムアウトした場合、前記ＯＮＵが仮眠省エネルギー状態から退出し、仮眠省エネルギースリープ解除状態に入り、アップリンク光モジュールをオンにし、又は、タイマーＴ退出がタイムアウトする前に、拡張ＯＡＭによりＯＬＴからの、仮眠省エネルギー睡眠メカニズムから退出する又はスリープ解除するコマンドを受信し、又はＯＮＵが、ローカルでアップリンクデータ伝送などの、仮眠省エネルギー睡眠モードから退出することをトリガーするイベントを検出する場合、ＯＮＵが初期状態に入り、タイマーＴ初期を開始することを含み、
当該方法は、
前記ＯＬＴが、拡張ＯＡＭを介して仮眠省エネルギー睡眠メカニズムから退出する又はスリープ解除するコマンドをＯＮＵに送信することをさらに含むことを特徴とする
請求項１に記載の方法。
【請求項１０】
ＯＮＵとＯＬＴとを少なくとも含む、光ネットワークユニットＯＮＵと光回線端末ＯＬＴとの間に省エネルギーメカニズム管理を実現するシステムであって、
ＯＮＵは、ＯＬＴとの間に拡張ＯＡＭフレームを介して省エネルギー情報を伝送し、取得した省エネルギー情報に応じて省エネルギー制御を行い、且つ光モジュールをオフ／オンにすることに用いられ、
ＯＬＴは、ＯＮＵとの間に拡張ＯＡＭフレームを介して省エネルギー情報を伝送し、取得した省エネルギー情報に応じて省エネルギー制御を行うことに用いられることを特徴とするシステム。
【請求項１１】
前記省エネルギー情報における省エネルギーメカニズム指示によって指示される省エネルギーメカニズムは仮眠メカニズムであり、
前記ＯＮＵは、具体的に、仮眠モードに入ると仮眠モードから退出する必要がある場合、前記ＯＬＴに通知し、仮眠モードに入る場合、アップリンク光モジュールをオフにし、仮眠モードから退出する場合、アップリンク光モジュールをオンにすることに用いられ、
前記ＯＬＴは、具体的に、通知を介して、ＯＮＵが仮眠モードに入る又は仮眠モードから退出する必要があることを取得して、そして確認することに用いられることを特徴とする
請求項１０に記載のシステム。
【請求項１２】
前記省エネルギー情報における省エネルギーメカニズム指示によって指示される省エネルギーメカニズムは周期省エネルギーメカニズムであり、
前記ＯＮＵは、具体的に周期省エネルギー状態に入り、アップ・ダウンリンク光モジュールをオフにし、且つＯＬＴによって設定された又はＯＮＵ自身によって設定された周期省エネルギー時間設定に応じてタイマーＴ退出を開始し、タイマーＴ退出がタイムアウトした場合、ＯＮＵが周期省エネルギー状態から退出し、周期省エネルギースリープ解除状態に入り、アップ・ダウンリンク光モジュールをオンにし、又は、タイマーＴ退出がタイムアウトする前に、拡張ＯＡＭによりＯＬＴからの、周期睡眠省エネルギーメカニズムから退出する又はスリープ解除するコマンドを受信し、又はＯＮＵが、ローカルでアップリンクデータ伝送などの、周期睡眠省エネルギーモードから退出することをトリガーするイベントを検出する場合、ＯＮＵが初期状態に入り、タイマーＴ初期を開始することに用いられ、
前記ＯＬＴは、具体的に、拡張ＯＡＭを介して周期省エネルギー睡眠メカニズムから退出する又はスリープ解除するコマンドをＯＮＵに送信することに用いられることを特徴とする
請求項１０に記載のシステム。
【請求項１３】
前記ＯＮＵは、
周期省エネルギーアクティブ状態で、受信又は送信必要なデータフローがないことを検出する場合、周期省エネルギー睡眠メカニズムを使用開始して省エネルギーを行い、ＯＮＵ自身状態を周期省エネルギースリープ解除状態に設定し、タイマーＴ周期省エネルギーを開始し、タイマーＴ周期省エネルギーがタイムアウトした後、前記周期省エネルギー状態に入り、又は、タイマーＴ周期省エネルギーがタイムアウトする前に、ＯＬＴからの、周期省エネルギー睡眠メカニズムから退出する又はスリープ解除するコマンドを受信し、又はＯＮＵが、ローカルでアップリンクデータ伝送などの、周期省エネルギー睡眠モードから退出することをトリガーするイベントを検出する場合、ＯＮＵが初期状態に入り、タイマーＴ初期を開始することにさらに用いられ、
前記ＯＮＵは、
初期状態に入った後、拡張ＯＡＭによりＯＬＴからの、周期省エネルギー睡眠メカニズムに入ることができるコマンドを受信し、タイマーＴ初期を開始し、そしてタイマーＴ初期がタイムアウトした場合、周期省エネルギーアクティブ状態に入ることにさらに用いられることを特徴とする
請求項１２に記載のシステム。
【請求項１４】
前記省エネルギー情報における省エネルギーメカニズム指示によって指示される省エネルギーメカニズムは仮眠省エネルギーメカニズムであり、
前記ＯＮＵは、具体的に仮眠省エネルギー状態に入り、アップリンク光モジュールをオフにし、且つＯＬＴによって設定された又はＯＮＵ自身によって設定された仮眠省エネルギー時間設定に従ってタイマーＴ退出を開始し、タイマーＴ退出がタイムアウトした場合、ＯＮＵが仮眠省エネルギー状態から退出し、仮眠省エネルギースリープ解除状態に入り、アップリンク光モジュールをオンにし、又は、タイマーＴ退出がタイムアウトする前に、拡張ＯＡＭによりＯＬＴからの、仮眠睡眠省エネルギーメカニズムから退出する又はスリープ解除するコマンドを受信し、又はＯＮＵが、ローカルでアップリンクデータ伝送などの、仮眠省エネルギー睡眠モードから退出することをトリガーするイベントを検出する場合、ＯＮＵが初期状態に入り、タイマーＴ初期を開始することに用いられ、
前記ＯＬＴは、具体的に、拡張ＯＡＭを介して仮眠省エネルギー睡眠メカニズムから退出する又はスリープ解除するコマンドをＯＮＵに送信することに用いられることを特徴とする
請求項１０に記載のシステム。
【請求項１５】
前記ＯＮＵは、
仮眠省エネルギーアクティブ状態下で、受信又は送信必要なデータフローがないことを検出する場合、仮眠省エネルギー睡眠メカニズムを使用開始して省エネルギーを行い、ＯＮＵ自身状態を仮眠省エネルギースリープ解除状態に設定し、タイマーＴ仮眠省エネルギーを開始し、タイマーＴ仮眠省エネルギーがタイムアウトした後、仮眠省エネルギー状態に入り、又は、タイマーＴ仮眠省エネルギーがタイムアウトする前に、ＯＬＴからの、仮眠省エネルギー睡眠メカニズムから退出する又はスリープ解除するコマンドを受信し、又はＯＮＵが、ローカルでアップリンクデータ伝送などの、仮眠省エネルギー睡眠モードから退出することをトリガーするイベントを検出する場合、ＯＮＵが初期状態に入り、タイマーＴ初期を開始することにさらに用いられ、及び、
前記ＯＮＵは、
初期状態に入った後、拡張ＯＡＭによりＯＬＴからの、仮眠省エネルギー睡眠メカニズムに入ることができるコマンドを受信し、タイマーＴ初期を開始し、そしてタイマーＴ初期がタイムアウトした場合、仮眠省エネルギーアクティブ状態に入ることにさらに用いられることを特徴とする
請求項１４に記載のシステム。
【国際調査報告】
2013538531.tif 000032
2013538531.tif 000033
2013538531.tif 000034
2013538531.tif 000035